(57)【要約】  制御回路は、１画素以上１０画素以下の幅を有する同一階調のラインが画面内に転送されるように、液晶パネルの駆動を制御する。
2020171130.tif 000002
【特許請求の範囲】
【請求項１】
１画素以上１０画素以下の幅を有する同一階調のラインが画面内に転送されるように、液晶パネルの駆動を制御する制御回路。
【請求項２】
前記ラインの幅が、２画素以上１０画素以下である請求項１に記載の制御回路。
【請求項３】
前記ラインの１回の移動距離が、２画素以上、前記ラインの幅以下である請求項２に記載の制御回路。
【請求項４】
前記ラインの移動が、１フィールドまたはｎ水平期間（但し、ｎは１以上の整数である。）毎に行われる請求項１に記載の制御回路。
【請求項５】
前記同一階調のラインが、黒色のラインである請求項１に記載の制御回路。
【請求項６】
前記ラインの転送が、周期的であり、  前記ラインの転送方向が、前記液晶パネルの垂直方向または水平方向である請求項１に記載の制御回路。
【請求項７】
前記液晶パネルに含まれる液晶分子の方位角Φを前記液晶パネルの水平方向を基準として表し、前記方位角Φが０°、１８０°の方向をそれぞれ第１の水平方向、第２の水平方向、前記方位角Φが９０°、２７０°の方向をそれぞれ第１の垂直方向、第２の垂直方向とした場合、  前記方位角Φが０°＜Φ＜９０°の範囲内である場合には、前記ラインの転送方向は前記第２の垂直方向または前記第２の水平方向であり、  前記方位角Φが９０°＜Φ＜１８０°の範囲内である場合には、前記ラインの転送方向は前記第２の垂直方向または前記第１の水平方向であり、  前記方位角Φが１８０°＜Φ＜２７０°の範囲内である場合には、前記ラインの転送方向は前記第１の垂直方向または前記第１の水平方向であり、  前記方位角Φが２７０°＜Φ＜３６０°の範囲内である場合には、前記ラインの転送方向は前記第１の垂直方向または前記第２の水平方向である請求項１に記載の制御回路。
【請求項８】
液晶パネルと、  前記液晶パネルを駆動する駆動部と、  前記駆動部を介して前記液晶パネルの駆動を制御する制御回路と  を備え、  前記制御回路は、１画素以上１０画素以下の幅を有する同一階調のラインが転送されるように、前記液晶パネルの駆動を制御する表示装置。
【請求項９】
前記液晶パネルは、  行方向に延在された複数の走査線と、  列方向に延在された複数の信号線と、  前記走査線と前記信号線とが互いに交差する箇所ごとに１つずつ設けられた複数の画素とを備え、  前記画素は、  液晶セルと、  前記走査線から入力される信号に基づいて前記信号線の電圧を前記液晶セルに書き込むトランジスタと  を備え、  前記制御回路は、前記同一階調のラインが転送されるように、前記駆動部を介して、複数の前記走査線および複数の前記信号線に供給する信号を制御する請求項８に記載の表示装置。
【請求項１０】
前記液晶パネルは、  行方向に延在された複数の第１の走査線と、  前記行方向に延在された複数の第２の走査線と、  前記行方向に延設された保持容量線と、  列方向に延在された複数の信号線と、  前記第１の走査線と前記信号線とが互いに交差する箇所ごとに１つずつ設けられた複数の画素とを備え、  前記画素は、  液晶セルと、  前記第１の走査線から入力される信号に基づいて、前記信号線の電圧を前記液晶セルに書き込む第１のトランジスタと、  前記第２の走査線から入力される信号に基づいて、前記保持容量線の電圧を前記液晶セルに書き込む第２のトランジスタと  を備える請求項８に記載の表示装置。
【請求項１１】
前記液晶パネルは、  行方向に延在された複数の第１の走査線と、  列方向に延在された複数の第１の信号線と、  前記列方向に延在された複数の第２の信号線と、  前記列方向の奇数番目に位置する前記第１の走査線と前記第１の信号線とが互いに交差する箇所ごとに１つずつ設けられた複数の第１の画素と、  前記列方向の偶数番目に位置する前記第１の走査線と前記第２の信号線とが互いに交差する箇所ごとに１つずつ設けられた複数の第２の画素と  を備え、  前記第１の画素は、  第１の液晶セルと、  前記第１の走査線から入力される信号に基づいて、前記第１の信号線の電圧を前記１の液晶セルに書き込む第１のトランジスタと  を備え、  前記第２の画素は、  第２の液晶セルと、  前記第１の走査線から入力される信号に基づいて、前記第２の信号線の電圧を前記第２の液晶セルに書き込む第３のトランジスタと  を備える請求項８に記載の表示装置。
【請求項１２】
前記液晶パネルは、  前記行方向に延在された複数の第２の走査線と、  前記行方向に延設された複数の保持容量線と  をさらに備え、  前記第１の画素は、前記第２の走査線から入力される信号に基づいて、前記保持容量線の電圧を前記第１の液晶セルに書き込む第２のトランジスタをさらに備え、  前記第２の画素は、前記第２の走査線から入力される信号に基づいて、前記保持容量線の電圧を前記第２の液晶セルに書き込む第４のトランジスタをさらに備える請求項１１に記載の表示装置。
【請求項１３】
前記液晶パネルの垂直方向に隣り合う前記第１の画素と前記第２の画素はペアを構成し、  前記ペアを構成する前記第１の画素と前記第２の画素は、前記液晶パネルの水平方向に伸びる直線に対して線対称の構造を有している請求項１２に記載の表示装置。
【請求項１４】
前記ペアを構成する前記第１の画素と前記第２の画素は、前記第１の走査線を共用していると共に、前記第２の走査線を共用している請求項１３に記載の表示装置。
【請求項１５】
前記液晶パネルの水平方向に隣り合う前記第１の画素はペアを構成し、  前記液晶パネルの水平方向に隣り合う前記第２の画素はペアを構成し、  前記ペアを構成する前記第１の画素は、前記液晶パネルの垂直方向に伸びる直線に対して線対称の構造を有し、  前記ペアを構成する前記第２の画素は、前記液晶パネルの垂直方向に伸びる直線に対して線対称の構造を有している請求項１１に記載の表示装置。
【請求項１６】
表示装置を備え、  前記表示装置は、  液晶パネルと、  前記液晶パネルを駆動する駆動部と、  前記駆動部を介して前記液晶パネルの駆動を制御する制御回路と  を備え、  前記制御回路は、１画素以上１０画素以下の幅を有する同一階調のラインが転送されるように、前記液晶パネルの駆動を制御する電子機器。
【請求項１７】
照明光学系と、  前記照明光学系からの光を変調することで画像光を生成する複数の液晶パネルと、  複数の前記液晶パネルの駆動を制御する制御回路と、  複数の前記液晶パネルで生成された前記画像光を投射する投影光学系と  を備え、  前記制御回路は、１画素以上１０画素以下の幅を有する同一階調のラインが転送されるように、前記液晶パネルの駆動を制御する投射型表示装置。
【請求項１８】
１画素以上１０画素以下の幅を有する同一階調のラインが転送されるように、液晶パネルの駆動を制御する制御方法。
【発明の詳細な説明】
【技術分野】
【０００１】  本開示は、制御回路、表示装置、電子機器、投射型表示装置および制御方法に関する。
【背景技術】
【０００２】  近年、モバイル機器やプロジェクタ等の電子機器の発達に伴い、高品位画質の液晶パネルの需要が高まっている。このような需要に応えるべく、種々の技術が検討されている。例えば特許文献１には、画像と画像の間に黒表示画面を挿入して、動画質を改善することができる液晶表示装が記載されている。
【先行技術文献】
【特許文献】
【０００３】
【特許文献１】特開２００８−２０３６２７号公報
【発明の概要】
【発明が解決しようとする課題】
【０００４】  液晶パネルには、動画像の表示の際に、動画残像および尾引きが発生するとう問題がある。液晶パネルの画質を高品位化するためには、このような動画残像および尾引きを抑制する技術が望まれる。【０００５】  本開示の目的は、動画残像および尾引きを抑制することができる制御回路、表示装置、電子機器、投射型表示装置および制御方法を提供することにある。
【課題を解決するための手段】
【０００６】  上述の課題を解決するために、第１の開示は、  １画素以上１０画素以下の幅を有する同一階調のラインが画面内に転送されるように、液晶パネルの駆動を制御する制御回路である。【０００７】  第２の開示は、  液晶パネルと、  液晶パネルを駆動する駆動部と、  駆動部を介して液晶パネルの駆動を制御する制御回路と  を備え、  制御回路は、１画素以上１０画素以下の幅を有する同一階調のラインが転送されるように、液晶パネルの駆動を制御する表示装置である。【０００８】  第３の開示は、  表示装置を備え、  表示装置は、  液晶パネルと、  液晶パネルを駆動する駆動部と、  駆動部を介して液晶パネルの駆動を制御する制御回路と  を備え、  制御回路は、１画素以上１０画素以下の幅を有する同一階調のラインが転送されるように、液晶パネルの駆動を制御する電子機器である。【０００９】  第４の開示は、  照明光学系と、  照明光学系からの光を変調することで画像光を生成する複数の液晶パネルと、  複数の液晶パネルの駆動を制御する制御回路と、  複数の液晶パネルで生成された画像光を投射する投影光学系と  を備え、  制御回路は、１画素以上１０画素以下の幅を有する同一階調のラインが転送されるように、液晶パネルの駆動を制御する投射型表示装置である。【００１０】  第５の開示は、  １画素以上１０画素以下の幅を有する同一階調のラインが転送されるように、液晶パネルの駆動を制御する制御方法である。
【図面の簡単な説明】
【００１１】
【図１】図１Ａは、隣接する画素間において液晶分子が横電界の影響を受けて、プレチルトによる配向方向に傾いた状態を示す模式図である。図１Ｂは、隣接する画素間において液晶分子が横電界の影響を受けて、プレチルトによる配向方向とは逆方向に傾いた状態を示す模式図である。
【図２】図２は、黒色のパターンが、白表示された画面内を左方向に移動する例を示す概略図である。
【図３】図３Ａは、黒色のパターンの停止状態（初期状態）における、図２中の領域５０Ｒの一例を示す平面図である。図３Ｂは、黒色のパターンの移動開始から１フィールド（１６．６ｍｓｅｃ）後の状態における、図２中の領域５０Ｒの一例を示す平面図である。図３Ｃは、黒色のパターンの移動開始から２フィールド（３３．３ｍｓｅｃ）後における、図２中の領域５０Ｒの一例を示す平面図である。図３Ｄは、黒色のパターンの移動開始から３フィールド（５０ｍｓｅｃ）後における、図２中の領域５０Ｒの一例を示す平面図である。
【図４】図４Ａは、図３ＡのＩＶＡ−ＩＶＡに沿った断面を模試的に表す図である。図４Ｂは、図３ＢのＩＶＢ−ＩＶＢに沿った断面を模試的に表す図である。図４Ｃは、図３ＣのＩＶＣ−ＩＶＣに沿った断面を模試的に表す図である。図４Ｄは、図３ＡのＩＶＤ−ＩＶＤに沿った断面を模試的に表す図である。
【図５】図５Ａは、液晶分子の配向方向と残像および尾引きの発生方向との関係を示す概略図である。図５Ｂは、図５Ａに示した配向方向の液晶パネルで黒色のパターンを左方向に移動した例を示す概略図である。図５Ｃは、図５Ａに示した配向方向の液晶パネルで黒色のパターンを上方向に移動した例を示す概略図である。図５Ｄは、図５Ａに示した配向方向の液晶パネルで黒色のパターンを右方向に移動した例を示す概略図である。図５Ｅは、図５Ａに示した配向方向の液晶パネルで黒色のパターンを下方向に移動した例を示す概略図である。
【図６】図６Ａは、液晶分子の配向方向と残像および尾引きの発生方向との関係を示す概略図である。図６Ｂは、図６Ａに示した配向方向の液晶パネルで黒色のパターンを左方向に移動した例を示す概略図である。図６Ｃは、図６Ａに示した配向方向の液晶パネルで黒色のパターンを上方向に移動した例を示す概略図である。図６Ｄは、図６Ａに示した配向方向の液晶パネルで黒色のパターンを右方向に移動した例を示す概略図である。図６Ｅは、図６Ａに示した配向方向の液晶パネルで黒色のパターンを下方向に移動した例を示す概略図である。
【図７】図７Ａは、液晶分子の配向方向と残像および尾引きの発生方向との関係を示す概略図である。図７Ｂは、図７Ａに示した配向方向の液晶パネルで黒色のパターンを左方向に移動した例を示す概略図である。図７Ｃは、図７Ａに示した配向方向の液晶パネルで黒色のパターンを上方向に移動した例を示す概略図である。図７Ｄは、図７Ａに示した配向方向の液晶パネルで黒色のパターンを右方向に移動した例を示す概略図である。図７Ｅは、図７Ａに示した配向方向の液晶パネルで黒色のパターンを下方向に移動した例を示す概略図である。
【図８】図８Ａは、液晶分子の配向方向と残像および尾引きの発生方向との関係を示す概略図である。図８Ｂは、図８Ａに示した配向方向の液晶パネルで黒色のパターンを左方向に移動した例を示す概略図である。図８Ｃは、図８Ａに示した配向方向の液晶パネルで黒色のパターンを上方向に移動した例を示す概略図である。図８Ｄは、図８Ａに示した配向方向の液晶パネルで黒色のパターンを右方向に移動した例を示す概略図である。図８Ｅは、図８Ａに示した配向方向の液晶パネルで黒色のパターンを下方向に移動した例を示す概略図である。
【図９】図９Ａは、黒色のパターンの移動開始から１フィールド（１６．６ｍｓｅｃ）後の状態における、図２中の領域５０Ｒの一例を示す平面図である。図９Ｂは、図９ＡのＩＸＢ−ＩＸＢ線に沿った断面を模試的に表す図である。
【図１０】図１０Ａは、液晶パネルの横ラインを一旦黒表示にする例を示す概略図である。図１０Ｂは、液晶パネルの縦ラインを一旦黒表示にする例を示す概略図である。
【図１１】図１１は、画面全体を一旦黒表示にする例を示す概略図である。
【図１２】図１２は、本開示の第１の実施形態に係る液晶表示装置の構成の一例を示すブロック図である。
【図１３】図１３は、液晶パネルの等価回路の一例を示す図である。
【図１４】図１４は、液晶パネルの構成の一例を示す概略図である。
【図１５】図１５Ａは、黒色のラインを垂直方向に転送する例を示す概略図である。図１５Ｂは、黒色のラインを水平方向に転送する例を示す概略図である。
【図１６】図１６は、黒ラインの転送方向と、黒色のラインの転送による動画残像および尾引きの発生との関係を説明するための概略図である。
【図１７】図１７Ａは、動画残像および尾引きが発生する、黒色のラインの転送方向を示す概略図である。図１７Ｂは、動画残像および尾引きの発生が抑制される、黒色のラインの転送方向を示す概略図である。
【図１８】図１８Ａは、動画残像および尾引きが発生する、黒色のラインの転送方向を示す概略図である。図１８Ｂは、動画残像および尾引きの発生が抑制される、黒色のラインの転送方向を示す概略図である。
【図１９】図１９Ａは、黒色のラインの挿入方法の第１の例を示す概略図である。図１９Ｂは、黒色のラインの挿入方法の第２の例を示す概略図である。図１９Ｃは、黒色のラインの挿入方法の第３の例を示す概略図である。
【図２０】図２０は、本開示の第１の実施形態に係る液晶表示装置の動作の第１の例を説明するためのタイミングチャートである。
【図２１】図２１は、本開示の第１の実施形態に係る液晶表示装置の動作の第２の例を説明するためのタイミングチャートである。
【図２２】図２２は、本開示の第１の実施形態に係る液晶表示装置の動作の第３の例を説明するためのタイミングチャートである。
【図２３】図２３は、変形例に係る液晶パネルの等価回路の一例を示す図である。
【図２４】図２４は、変形例に係る液晶表示装置の動作の一例を説明するためのタイミングチャートである。
【図２５】図２５は、全面黒表示の画像を挿入する例を示す概略図である。
【図２６】図２６は、全面白表示の画像を挿入する例を示す概略図である。
【図２７】図２７は、全面黒表示の画像と全面白表示の画像を挿入する例を示す概略図である。
【図２８】図２８は、全面同一の中間調の画像を挿入する例を示す概略図である。
【図２９】図２９Ａ、図２９Ｂは、全面黒表示の画像を挿入する例を示す概略図である。
【図３０】図３０は、本開示の第２の実施形態に係る表示装置の構成の一例を示すブロック図である。
【図３１】図３１は、液晶パネルの等価回路の一例を示す図である。
【図３２】図３２は、黒色のラインを垂直方向に転送する例を示す概略図である。
【図３３】図３３は、本開示の第２の実施形態に係る液晶表示装置の動作の第１の例を説明するためのタイミングチャートである。
【図３４】図３４は、本開示の第２の実施形態に係る液晶表示装置の動作の第２の例を説明するためのタイミングチャートである。
【図３５】図３５は、本開示の第２の実施形態に係る液晶表示装置の動作の第３の例を説明するためのタイミングチャートである。
【図３６】図３６は、変形例に係る液晶パネルの等価回路の一例を示す図である。
【図３７】図３７は、変形例に係る液晶パネルの動作の一例を示すタイミングチャートである。
【図３８】図３８は、変形例に係る液晶パネルの等価回路の一例を示す図である。
【図３９】図３９は、変形例に係る液晶パネルの等価回路の一例を示す図である。
【図４０】図４０は、本開示の第３の実施形態に係る液晶表示装置の構成の一例を示すブロック図である。
【図４１】図４１は、液晶パネルの等価回路の一例を示す図である。
【図４２】図４２は、本開示の第３の実施形態に係る液晶表示装置の動作の第１の例を説明するためのタイミングチャートである。
【図４３】図４３は、本開示の第３の実施形態に係る液晶表示装置の動作の第２の例を説明するためのタイミングチャートである。
【図４４】図４４は、本開示の第３の実施形態に係る液晶表示装置の動作の第３の例を説明するためのタイミングチャートである。
【図４５】図４５は、変形例に係る液晶パネルの等価回路の一例を示す図である。
【図４６】図４６は、変形例に係る液晶パネルの動作の一例を示すタイミングチャートである。
【図４７】図４７は、本開示の第４の実施形態に係る液晶表示装置の構成の一例を示すブロック図である。
【図４８】図４８は、液晶パネルの等価回路の一例を示す図である。
【図４９】図４９は、本開示の第４の実施形態に係る液晶表示装置の動作の第１の例を説明するためのタイミングチャートである。
【図５０】図５０は、本開示の第４の実施形態に係る液晶表示装置の動作の他の例を説明するためのタイミングチャートである。
【図５１】図５１は、本開示の第４の実施形態に係る液晶表示装置の動作の第２の例を説明するためのタイミングチャートである。
【図５２】図５２Ａ、図５２Ｂ、図５２Ｃ、図５２Ｄはそれぞれ、移動する物体が存在するエリアに黒表示を挿入する例を示す概略図である。
【図５３】図５３は、本開示の第５の実施形態に係る電子機器の構成の一例を示す斜視図である。
【図５４】図５４は、本開示の第６の実施形態に係る電子機器の構成の一例を示す斜視図である。
【図５５】図５５は、本開示の第７の実施形態に係るプロジェクタの構成の一例を示す概略図である。
【発明を実施するための形態】
【００１２】  本開示の実施形態について以下の順序で説明する。なお、以下の実施形態の全図においては、同一または対応する部分には同一の符号を付す。１  第１の実施形態（液晶表示装置の例）２  第２の実施形態（液晶表示装置の例）３  第３の実施形態（液晶表示装置の例）４  第４の実施形態（液晶表示装置の例）５  第５の実施形態（電子機器の例）６  第６の実施形態（電子機器の例）７  第７の実施形態（プロジェクタの例）
【００１３】＜１  第１の実施形態＞［概要］（ディスクリネーションの発生原因）  まず、図１Ａ、図１Ｂを参照して、静止画中にて、隣接する画素５１間にディスクリネーション（リバースチルトドメインとも称される。）６１が発生する原因について説明する。ここでは、ＶＡ（Vertically Aligned）駆動方式の液晶パネル５０を例としてディスクリネーション６１の発生原因について説明するが、ＶＡ（Vertically Aligned）駆動方式以外の液晶パネルでも同様の原因でディスクリネーション６１は発生する。
【００１４】  隣接する画素５１で異なる階調を表示すると、隣接する画素間に横電界が発生する。図１Ａに示すように、液晶分子５４がこの横電界の影響を受けて、プレチルトによる配向方向に傾く場合には、配向乱れは小さいため、ディスクリネーション６１の発生は抑制される。一方、図１Ｂに示すように、液晶分子５４がこの横電界の影響を受けて、プレチルトによる配向方向とは逆方向に傾く場合には、配向乱れが大きく、ディスクリネーション６１が発生する。隣接画素で黒表示と白表示を行った場合、横電界が最大となるため、ディスクリネーション６１が最大となる。ＶＡ駆動方式の液晶パネル５０の場合、黒表示における対向基板５３とＴＦＴ（Thin Film Transistor）基板５２の電位差は、例えば０Ｖであり、白表示における対向基板５３とＴＦＴ基板５２の電位差は、例えば４Ｖである。
【００１５】（残像および尾引の発生原因）  次に、図２に示すように、黒色のパターン７１が、白表示された画面５０Ａ内を左方向に移動する場合を例として、動画像の残像および尾引き（以下「動画残像・尾引き」と表記する。）の発生原因について説明する。なお、本明細書において、特に断らない限り、「左方向」、「右方向」「上方向」、「下方向」とはそれぞれ、図中で左、右、上、下に向かう方向を意味する。また、以下の説明においても、特に断らないかぎり、パターン７１の色は黒色であり、パターン７１の背景は白色である。
【００１６】  黒色のパターン７１が左方向に移動すると、ディスクリネーション６１の発生部分（黒表示と白表示の境界部分）６２も左方向に移動する。この際、ディスクリネーション６１が正常な配向状態に戻るまで時間が黒色のパターン７１の移動速度により異なる。
【００１７】  図３Ａ〜図３Ｄ、図４Ａ〜図４Ｄに示すように、ディスクリネーション６１の発生部分６２が１フィールド、１画素の移動速度で移動する動画では、ディスクリネーション６１が正常な配向状態に戻るまでに最も時間がかかる。このため、ディスクリネーション６１の発生部分６２が１フィールド、１画素の移動速度で移動する動画では、動画残像・尾引きが発生する。すなわち、ディスクリネーション６１の発生部分６２は、静止画では黒領域が太くなっているように認識されるのに対して、動画では尾引きとして認識される。なお、図４Ａ〜図４Ｄ中、ラインＬ１は透過率を示し、ラインＬ２は等電位面を示す。
【００１８】  上述した動画残像・尾引きは、液晶分子５４の特定の配向方向とパターン７１の特定の移動方向とが組み合わされた場合に発生する。
【００１９】  図５Ａに示すように、液晶分子５４が右配向している液晶パネル５０では、図５Ｃ、図５Ｄに示すように、パターン７１が上方向または右方向に１フィールド、１画素の移動速度で移動した場合、動画残像・尾引き７２が発生する。一方、図５Ｂ、図５Ｅに示すように、パターン７１が左方向または下方向に１フィールド、１画素の移動速度で移動した場合、動画残像・尾引き７２の発生は抑制される。
【００２０】  図６Ａに示すように、液晶分子５４が左配向している液晶パネル５０では、図６Ｂ、図６Ｃに示すように、パターン７１が左方向または上方向に１フィールド、１画素の移動速度で移動した場合、動画残像・尾引き７２が発生する。一方、図６Ｄ、図６Ｅに示すように、パターン７１が右方向または下方向に１フィールド、１画素の移動速度で移動した場合、動画残像・尾引き７２の発生は抑制される。
【００２１】  図７Ａに示すように、液晶分子５４が左配向している液晶パネル５０では、図７Ｂ、図７Ｅに示すように、パターン７１が左方向または下方向に１フィールド、１画素の移動速度で移動した場合、動画残像・尾引き７２が発生する。一方、図７Ｃ、図７Ｄに示すように、パターン７１が上方向または右方向に１フィールド、１画素の移動速度で移動した場合、動画残像・尾引き７２の発生は抑制される。
【００２２】  図８Ａに示すように、液晶分子５４が右配向している液晶パネル５０では、図８Ｄ、図８Ｅに示すように、パターン７１が右方向または下方向に１フィールド、１画素の移動速度で移動した場合、動画残像・尾引き７２が発生する。一方、図８Ｂ、図８Ｃに示すように、パターン７１が左方向または上方向に１フィールド、１画素の移動速度で移動した場合、動画残像・尾引き７２の発生は抑制される。
【００２３】  動画残像・尾引き７２の発生は、パターン７１の移動速度に依存する。上述の動画残像・尾引き７２の発生原因の説明のように、パターン７１が１フィールド、１画素の移動速度で移動する場合に動画残像・尾引き７２が発生する。これに対して、図９Ａ、図９Ｂに示すように、パターン７１の移動速度が１フィールド、１画素よりも速い場合（例えば１フィールド、２画素以上である場合）、動画残像・尾引き７２の発生は大きく緩和される。これは、現フィールドでディスクリネーション６１が発生した部分が、次フィールドで移動したパターン７１からのディスクリネーション６１の影響をうけず、つまり局所的に同一階調のラスタ表示でリセットされるためである。しかしながら、パターン移動速度は、表示される動画に依るので、１フィールド、１画素を前提として、動画残像・尾引き７２に関する改善策を考えることが望まれる。
【００２４】  動画残像・尾引き７２は、同一階調のラスタを表示し、横電界をなくすことで、リセットすることができる。例えば、図１０Ａに示すように、横ライン５１ＬＡを一旦黒表示のみ（すなわち、同一階調のみ）にすると、左右に隣接する画素５１間の横電界をリセットすることができる。また、図１０Ｂに示すように、縦ライン５１ＬＢを黒表示のみ（同一階調のみ）にすると、上下に隣接する画素５１間の横電界をリセットすることができる。縦横ともに画面全体で横電界をリセットするには、図１１に示すように、黒ラスタ（同一階調のラスタ）を画面全体に表示すればよい。
【００２５】  しかしながら、上述のように黒ラスタを画面全体に表示すると、画面の輝度が低下する。そこで、本発明者らは、画面の輝度低下を抑制しつつ、動画残像・尾引き７２を抑制することができる液晶表示装置について検討した。その結果、同一階調のラインを画面内に転送する液晶表示装置を見出すに至った。第１の実施形態では、このような液晶表示装置について説明する。
【００２６】［液晶表示装置の構成］  まず、図１２を参照して、本開示の第１の実施形態に係る液晶表示装置（以下単に「表示装置」という。）１０の構成の一例について説明する。表示装置１０は、３板式のプロジェクタ（投射型表示装置）のライトバルブとして適用可能なものである。表示装置１０は、コントローラ１１と、液晶パネル２０と、駆動部３０とを備える。液晶パネル２０は、透過型となっていてもよいし、反射型となっていてもよい。なお、液晶パネル２０が透過型となっている場合には、表示装置１０は、必要に応じて、液晶パネル２０の背後に、図示しない光源を備えていてもよい。なお、コントローラ１１は、本開示の「制御回路」の一具体例に相当する。
【００２７】（液晶パネル）  液晶パネル２０は、例えば、ノーマリーブラックの透過率特性または反射率特性となっている。ここで、ノーマリーブラックとは、電圧がかかっていない時に透過率または反射率が最小となり、黒表示になる光学特性を指している。なお、液晶パネル２０は、例えば、ノーマリーホワイトの透過率特性または反射率特性となっていてもよい。ここで、ノーマリーホワイトとは、電圧がかかっていない時に透過率または反射率が最大となり、白表示になる光学特性を指している。液晶パネル２０は、電圧印加により光の偏光状態を電気的に変えることで画像光を生成するものである。
【００２８】  図１３は、液晶パネル２０の等価回路の一例を示す図である。液晶パネル２０は、行方向に延在された複数の主走査線（第１の走査線）２１と、行方向に延在された複数の副走査線（第２の走査線）２２と、行方向に延在された複数の保持容量線２４と、列方向に延在された複数の信号線２３と、主走査線２１と信号線２３とが互いに交差する箇所ごとに１つずつ設けられた複数の画素２５とを有している。主走査線２１と副走査線２２は同数設けられている。
【００２９】  各画素２５は、液晶セル２６と、主走査線２１から入力される信号に基づいて信号線２３の電圧を液晶セル２６に書き込む主トランジスタ（第１のトランジスタ）２７と、副走査線２２から入力される信号に基づいて、保持容量線２４の電圧を液晶セル２６に書き込む福トランジスタ（第２のトランジスタ）２８と、液晶セル２６に並列接続された容量素子２９とを有している。
【００３０】  図１３において、Ｍｇａｔｅ（ｎ）、Ｓｇａｔｅ（ｎ）、Ｓｉｇ（ｍ）はそれぞれ、主垂直駆動回路３１の出力（すなわち主走査線２１の電圧）、副垂直駆動回路３２の出力（すなわち副走査線２２の電圧）、水平駆動回路３３の出力（すなわち水平駆動回路３３の電圧）を表す。また、ｐｉｘ（ｎ、ｍ）は、上からｎ番目の主走査線２１と、左からｍ番目の信号線２３との交点における画素２５を表す。なお、以下の説明においても、これらの符号はそれぞれ、上記と同様のものを表す。
【００３１】  図１４は、液晶パネル２０の構成の一例を示す概略図である。液晶パネル２０は、例えば、液晶分子２６Ｄを含む液晶層２６Ａと、液晶層２６Ａを挟み込む複数の画素電極２６Ｂおよび対向電極２６Ｃとを備える。液晶パネル２０は、例えば、偏光板をさらに備えるようにしてもよい。液晶パネル２０の駆動方式は、例えば、ＶＡ(Vertical Alignment)モード、ＴＮ（Twisted Nematic）モード、ＩＰＳ(In Plane Switching)モード、ＦＦＳ（Fringe Field Switching）モード、ＳＴＮ（Super Twisted Nematic）モード、または、ＥＣＢ（Electrically Controlled Birefringence）モードである。なお、図１４では、液晶パネル２０の駆動方式が、ＶＡ(Vertical Alignment)モードである例が示されている。
【００３２】  主トランジスタ２７および副トランジスタ２８は、例えば、薄膜トランジスタ（ＴＦＴ：Thin Film Transistor）によって構成されている。主トランジスタ２７のゲート電極は主走査線２１に接続され、ソース電極（またはドレイン電極）は信号線２３に接続され、ドレイン電極（またはソース電極）は液晶セル２６の画素電極２６Ｂに接続されている。副トランジスタ２８のゲート電極は副走査線２２に接続され、ソース電極（またはドレイン電極）は液晶セル２６の画素電極２６Ｂに接続され、ドレイン電極（またはソース電極）は、保持容量線２４に接続されている。なお、保持容量線２４は、コントローラ１１が有する対向電圧生成回路（以下「ＶＣＯＭ回路」という。）（図示せず）に接続されていてもよい。
【００３３】  容量素子２９の第１の電極は液晶セル２６の画素電極２６Ｂに接続され、第２の電極は保持容量線２４に接続されている。保持容量線２４は、コントローラ１１が有する保持容量電圧生成回路（以下「ＶＣＳ回路」という。）（図示せず）に接続されている。ＶＣＳ回路は、所定の保持容量電圧Ｖｃｓを生成して、液晶セル２６の画素電極２６Ｂおよび容量素子２９の第２の電極に電圧を印加する。なお、ＶＣＳ回路がコントローラ１１の外部に設けられていてもよい。液晶セル２６の対向電極２６Ｃが、コントローラ１１が有するＶＣＯＭ回路に接続されている。ＶＣＯＭ回路は、所定のコモン電圧Ｖｃｏｍを生成して、液晶セル２６の対向電極２６Ｃに印加する。なお、ＶＣＯＭ回路がコントローラ１１の外部に設けられていてもよい。
【００３４】  画素電極２６Ｂに印加される電圧（対向電極２６Ｃと画素電極２６Ｂとの間の電位差）は、映像信号の階調に応じて変更される。これにより、液晶分子２６Ｄの配向方向を制御し、該液晶分子２６Ｄを含む画素２５から出射する光量（つまりは表示階調）を制御することができる。液晶パネル２０の複数の画素２５のそれぞれで液晶分子２６Ｄの配向方向を制御することで、映像を表示することができる。
【００３５】  ここで、液晶分子２６Ｄの配向方向は、図１４中に示した球面座標系の極角θと方位角Φとで定義される。極角θは、対向電極（共通電極）２６Ｃと画素電極２６Ｂの間の電位差（絶対値）に応じて変化させることができる。いわゆるノーマリーブラックモードの液晶素子においては、上記電位差が増加すると極角θが大きくなり、表示階調が高くなる。一方、方位角Φは、対向電極２６Ｃと画素電極２６Ｂの表面に形成された配向膜による弱い配向規制力によって特定の角度（プレチルト方位角）となる。
【００３６】  本明細書では、液晶パネル２０の表示面における水平方向をｘ軸方向、液晶パネル２０の水平方向をｙ軸、液晶パネル２０の表示面（すなわちｘｙ平面）に対して垂直な方向をｚ軸方向という。極角θは、ｚ軸を基準とした角度であり、方位角Φは、ｘ軸方向を基準とした角度である。
【００３７】  また、本明細書では、図１４に示すように、方位角Φが０°、１８０°の方向をそれぞれ、第１の水平方向ＨＤ１、第２の水平方向ＨＤ２といい、方位角Φが９０°、２７０°の方向を第１の垂直方向ＶＤ１、第２の垂直方向ＶＤ２という場合がある。
【００３８】（駆動部）  駆動部３０は、コントローラ１１の制御に基づき、液晶パネル２０を駆動する。より具体的には、駆動部３０は、各画素２５をアクティブマトリクス駆動することにより、外部から入力された映像信号に基づく画像光を液晶パネル２０に生成させる。駆動部３０は、複数の主走査線２１に接続された主垂直駆動回路（第１の垂直駆動回路）３１と、複数の副走査線に接続された副走査線駆動回路（第２の垂直駆動回路）３２と、複数の信号線に接続された水平駆動回路３３とを有している。
【００３９】  主垂直駆動回路３１は、コントローラ１１から供給される制御信号に基づいて作動し、各画素２５を線順次に走査する駆動パルスＭｇａｔｅ（ｎ）を、各主走査線２１を介して液晶パネル２０にパラレル出力する。副垂直駆動回路３２は、コントローラ１１から供給される制御信号に基づいて作動し、各画素２５を線順次に走査する駆動パルスＳｇａｔｅ（ｎ）を、各副走査線２２を介して液晶セル２６にパラレル出力する。水平駆動回路３３は、コントローラ１１から供給される制御信号に基づいて作動し、信号電圧Ｓｉｇ（ｍ）を１ライン分ずつ、各信号線２３を介して液晶セル２６にパラレル出力する。信号電圧Ｓｉｇ（ｍ）は、外部から入力された映像信号の階調に応じた波高値もしくはパルス幅を有している。
【００４０】（コントローラ）  コントローラ１１は、駆動部３０を介して液晶パネル２０を制御する。コントローラ１１は、例えば、ＩＣ（Integrated Circuit）等で構成されている。コントローラ１１は、駆動部３０に対して、フィールド反転駆動方式による、各画素２５のアクティブマトリクス駆動制御を行う。フィールド反転駆動とは、１フィールド（１Ｆ）期間ごとに液晶セル２６のコモン電圧Ｖｃｏｍに対して極性を反転させた信号電圧Ｓｉｇ（ｍ）を液晶セル２６に印加する駆動を指している。
【００４１】  コントローラ１１は、黒色のライン（以下単に「黒ライン」という。）２０Ｌが表示画面内で一方向に転送されるように、液晶パネル２０の駆動を制御する。コントローラ１１は、図１５Ａに示すように、水平方向に延設された黒ライン２０Ｌを表示画面内で垂直方向（第１の垂直方向ＶＤ１または第２の垂直方向ＶＤ２）に転送するようにしてもよいし、図１５Ｂに示すように、垂直方向に延設された黒ライン２０Ｌを表示画面内で水平方向（第１の水平方向ＨＤ１または第２の水平方向ＨＤ２）に転送するようにしてもよい。黒ライン２０Ｌは、本開示の「同一階調のライン」の一具体例に相当する。黒ライン２０Ｌの幅Ｗは、１画素以上１０画素以下、好ましくは２画素以上１０画素以下である。
【００４２】  黒ライン２０Ｌの幅Ｗが１画素以上であれば、動画残像・尾引きの発生を抑制することができる。具体的には、１画素の黒ライン２０Ｌを表示画面の垂直方向に転送した場合には、１フィールドに１画素の移動速度で画面内を水平方向に物体が移動したときにおける、１フィールド前後のディスクリネーション部分間の影響を抑制することができる。したがって、水平方向における動画残像・尾引きの発生を抑制することができる。一方、１画素の黒ライン２０Ｌを表示画面の水平方向に転送した場合には、１フィールドに１画素の移動速度で画面内を垂直方向に物体が移動したときにおける、１フィールド前後のディスクリネーション部分間の影響を抑制することができる。したがって、垂直方向における動画残像・尾引きの発生を抑制することができる。
【００４３】  ２画素以上の黒ライン２０Ｌを表示画面の垂直方向に転送した場合には、１フィールドに１画素の移動速度で画面内を水平方向または垂直方向に物体が移動したときにおける、１フィールド前後のディスクリネーション部分間の影響を抑制することができる。したがって、水平方向および垂直方向における動画残像・尾引きの発生を抑制することができる。一方、２画素以上の黒ライン２０Ｌを表示画面の垂直方向に転送した場合にも、２画素以上の黒ライン２０Ｌを表示画面の垂直方向に転送した場合と同様に、水平方向および垂直方向における動画残像・尾引きの発生を抑制することができる。
【００４４】  黒ライン２０Ｌの幅Ｗが１０画素以下であれば、コントラスの低下を効果的に抑制することができる。
【００４５】  黒ライン２０Ｌは、表示画面内に規定の周期で繰り返し転送される。黒ライン２０Ｌの１回の移動距離は、１画素であり、ラインの移動は、規定期間毎に行われる。すなわち、黒ライン２０Ｌの転送速度は、垂直方向または水平方向に規定期間に１画素であり、黒ライン２０Ｌの転送は、垂直方向または水平方向に連続的に行われる。ここで、規定期間は、例えば１フィールドまたはｎ水平期間（ｎは、１以上の整数である。）である。
【００４６】  黒ライン２０Ｌの１回の移動距離が１画素である場合、黒ライン２０Ｌの転送方向によっては、黒ライン２０Ｌの転送に起因する動画残像・尾引きが発生する。ここで、図１６に示すように、液晶分子２６Ｄが配向されている場合（液晶分子２６Ｄの方位角Φが０°＜Φ＜９０°の範囲内である場合）について、黒ライン２０Ｌの転送方向と、黒ライン２０Ｌの転送に起因する動画残像・尾引きの発生との関係について説明する。黒ライン２０Ｌの転送方向が、図１７Ａに示すように、第１の垂直方向ＶＤ１である場合には、動画残像・尾引き２０Ｍが発生する。これに対して、黒ライン２０Ｌの転送方向が、図１７Ｂに示すように、第２の垂直方向ＶＤ２である場合には、動画残像・尾引き２０Ｍの発生は抑制される。また、黒ライン２０Ｌの転送方向が、図１８Ａに示すように、第１の垂直方向ＶＤ１である場合には、動画残像・尾引き２０Ｍが発生する。これに対して、黒ライン２０Ｌの転送方向が、図１８Ｂに示すように、第２の水平方向ＨＤ２である場合には、動画残像・尾引き２０Ｍの発生は抑制される。
【００４７】  黒ライン２０Ｌの転送に起因する動画残像・尾引きの発生を抑制するためには、下記の関係（１）〜（４）のように、液晶分子の方位角Φに応じて黒ライン２０Ｌの転送方向を設定することが好ましい。（１）方位角Φが０°＜Φ＜９０°の範囲内である場合には、黒ライン２０Ｌの転送方向は第２の垂直方向ＶＤ２または第２の水平方向ＨＤ２であることが好ましい（図１７Ｂ、図１８Ｂ、図５Ｂ、図５Ｅ参照）。（２）方位角Φが９０°＜Φ＜１８０°の範囲内である場合には、黒ライン２０Ｌの転送方向は第２の垂直方向ＶＤ２または第１の水平方向ＨＤ１であることが好ましい（図６Ｄ、図６Ｅ参照）。（３）方位角Φが１８０°＜Φ＜２７０°の範囲内である場合には、黒ライン２０Ｌの転送方向は第１の垂直方向ＶＤ１または第１の水平方向ＨＤ１であることが好ましい（図７Ｃ、図７Ｄ参照）。（４）方位角Φが２７０°＜Φ＜３６０°の範囲内である場合には、黒ライン２０Ｌの転送方向は第１の垂直方向ＶＤ１または第２の水平方向ＨＤ２であることが好ましい（図８Ｂ、図８Ｃ参照）。
【００４８】  黒ライン２０Ｌの転送頻度は、液晶パネル２０の焼け付きの抑制や輝度低下の抑制等を考慮して設定されることが好ましい。例えば、図１９Ａに示すように、各フィールド（１Ｆ）に黒ライン２０Ｌが挿入されるようにしてもよい。また、図１９Ｂに示すように、連続する２以上のフィールドにより１つのブロックが構成されるとした場合、各ブロックの先頭のフィールドに黒ライン２０Ｌが挿入されるようにしてもよい。この場合、液晶パネル２０の焼け付きを抑制するためには、黒ライン２０Ｌは、正のフィールドおよび負のフィールドに交互に挿入されることが好ましい。さらに、図１９Ｃに示すように、連続する３以上のフィールド（１Ｆ）により１つのブロックが構成されているとした場合、各ブロックの先頭およびその次のフィールドに黒ライン２０Ｌが挿入されるようにしてもよい。
【００４９】  なお、本明細書において、“正のフィールド”とは、液晶セル２６のコモン電圧Ｖｃｏｍに対して正の極性を有する信号電圧Ｓｉｇ（ｍ）を液晶セル２６に印加するフィールドを示し、“負のフィールド”とは、液晶セル２６のコモン電圧Ｖｃｏｍに対して負の極性を有する信号電圧Ｓｉｇ（ｍ）を液晶セル２６に印加するフィールドを意味する。図１９Ａ〜図１９中において、各フィールドに付された符号“＋”、“−”は、各フィールドにて液晶セル２６に印加される信号電圧Ｓｉｇ（ｍ）の極性を示している。
【００５０】［表示装置の動作］（１画素の幅を有するラインを垂直方向に転送する例）  次に、図２０を参照して、１画素の幅を有する黒のラインを垂直方向に転送するときの表示装置１０の動作の例について説明する。なお、図２０において、符号“ＢＬＫ”は、液晶セル２６を黒表示する際に印加される信号電圧（すなわち保持容量電圧Ｖｃｓ）を示している。以下の説明においても符号“ＢＬＫ”は、同様の信号電圧を示す。
【００５１】  副垂直駆動回路３２は、上からｎ番目の副走査線２２の電圧Ｓｇａｔｅ（ｎ）を１水平期間（１Ｈ）、Ｈｉｇｈレベルにする。これにより、画素（ｎ，１）、（ｎ，２）、（ｎ，３）、・・・の副トランジスタ２８がオンになり、画素（ｎ，１）、（ｎ，２）、（ｎ，３）、・・・に保持容量線２４の保持容量電圧Ｖｃｓが印加される。これにより、画素（ｎ，１）、（ｎ，２）、（ｎ，３）、・・・は黒表示となる。
【００５２】  主垂直駆動回路３１は、上からｎ番目の副走査線２２の電圧Ｓｇａｔｅ（ｎ）がＬｏｗレベルになるタイミングで、上からｎ番目の主走査線２１の電圧Ｍｇａｔｅ（ｎ）を１水平期間、Ｈｉｇｈレベルにする。これにより、画素（ｎ，１）、（ｎ，２）、（ｎ，３）、・・・の主トランジスタ２７が１水平期間、オンになり、画素（ｎ，１）、（ｎ，２）、（ｎ，３）、・・・にそれぞれ各信号線２３の電圧Ｓｉｇ（１）、Ｓｉｇ（２）、Ｓｉｇ（３）・・・が印加され、画素（ｎ，１）、（ｎ，２）、（ｎ，３）、・・・は所定の階調表示となる。したがって、画素（ｎ，１）、（ｎ，２）、（ｎ，３）、・・・が黒表示となる期間は、１水平期間である。本明細書において、“所定の階調表示”とは、動画残像・尾引きの発生を抑制するための黒表示を除く、階調表示のことを示す。すなわち、外部から表示装置１０に供給される映像信号に基づく階調表示のことを示す。
【００５３】  副垂直駆動回路３２は、上からｎ番目の副走査線２２の電圧Ｓｇａｔｅ（ｎ）をＬｏｗレベルにするタイミングで、上からｎ＋１番目の副走査線２２の電圧Ｓｇａｔｅ（ｎ＋１）を１水平期間、Ｈｉｇｈレベルにする。また、主垂直駆動回路３１は、副走査線２２の電圧Ｓｇａｔｅ（ｎ＋１）がＬｏｗレベルになるタイミングで、上からｎ＋１番目の主走査線２１の電圧Ｍｇａｔｅ（ｎ＋１）を１水平期間、Ｈｉｇｈレベルにする。
【００５４】  主垂直駆動回路３１が、最も上から最も下までの主走査線２１を上述のように駆動させると共に、副垂直駆動回路３２が、最も上から最も下までの副走査線２２を上述のように駆動させることで、１画素の幅を有する黒ライン２０Ｌが垂直方向に連続的に（すなわち１水平期間に１画素の速度で）転送される。
【００５５】（２画素の幅を有するライン垂直方向に転送する第１の例）  次に、図２１を参照して、２画素の幅を有する黒のラインを垂直方向に転送するときの表示装置１０の動作の第１の例について説明する。
【００５６】  副垂直駆動回路３２の駆動動作は、上述の“１画素の幅を有するラインを垂直方向に転送する例”と同様であるので、説明を省略する。
【００５７】  主垂直駆動回路３１は、上からｎ番目の副走査線２２の電圧Ｓｇａｔｅ（ｎ）がＬｏｗレベルになってから１水平期間経過後に、上からｎ番目の主走査線２１の電圧Ｍｇａｔｅ（ｎ）を１水平期間、Ｈｉｇｈレベルにする。これにより、画素（ｎ，１）、（ｎ，２）、（ｎ，３）、・・・の主トランジスタ２７が１水平期間、オンになり、画素（ｎ，１）、（ｎ，２）、（ｎ，３）、・・・にそれぞれ各信号線２３の電圧Ｓｉｇ（１）、Ｓｉｇ（２）、Ｓｉｇ（３）、・・・が印加され、画素（ｎ，１）、（ｎ，２）、（ｎ，３）、・・・は所定の階調表示となる。したがって、画素（ｎ，１）、（ｎ，２）、（ｎ，３）、・・・が黒表示となる期間は、２水平期間（２Ｈ）である。
【００５８】  主垂直駆動回路３１は、副走査線２２の電圧Ｓｇａｔｅ（ｎ＋１）がＬｏｗレベルにされてから１水平期間経過後に、上からｎ＋１番目の主走査線２１の電圧Ｍｇａｔｅ（ｎ＋１）を１水平期間、Ｈｉｇｈレベルにする。
【００５９】  主垂直駆動回路３１が、最も上から最も下までの主走査線２１を上述のように駆動させると共に、副垂直駆動回路３２が、最も上から最も下までの副走査線２２を上述のように駆動させることで、２画素の幅を有する黒ライン２０Ｌが垂直方向に連続的に（すなわち１水平期間に１画素の速度で）転送される。
【００６０】（２画素の幅を有するライン垂直方向に転送する第２の例）  次に、図２２を参照して、２画素の幅を有する黒のラインを垂直方向に転送するときの表示装置１０の動作の第２の例について説明する。
【００６１】  副垂直駆動回路３２は、上からｎ番目の副走査線２２の電圧Ｓｇａｔｅ（ｎ）を２水平期間、Ｈｉｇｈレベルにする。これにより、画素（ｎ，１）、（ｎ，２）、（ｎ，３）、・・・の主トランジスタ２７がオンになり、画素（ｎ，１）、（ｎ，２）、（ｎ，３）、・・・に保持容量線２４の保持容量電圧Ｖｃｓが印加される。これにより、画素（ｎ，１）、（ｎ，２）、（ｎ，３）、・・・は黒表示となる。
【００６２】  主垂直駆動回路３１は、上からｎ番目の副走査線２２の電圧Ｓｇａｔｅ（ｎ）がＬｏｗレベルになるタイミングで、上からｎ番目の主走査線２１の電圧Ｍｇａｔｅ（ｎ）を１水平期間、Ｈｉｇｈレベルにする。これにより、画素（ｎ，１）、（ｎ，２）、（ｎ，３）、・・・の主トランジスタ２７が１水平期間、オンになり、画素（ｎ，１）、（ｎ，２）、（ｎ，３）、・・・にそれぞれ各信号線２３の電圧Ｓｉｇ（１）、Ｓｉｇ（２）、Ｓｉｇ（３）、・・・が印加され、画素（ｎ，１）、（ｎ，２）、（ｎ，３）、・・・は所定の階調表示となる。したがって、画素（ｎ，１）、（ｎ，２）、（ｎ，３）、・・・が黒表示となる期間は、２水平期間である。
【００６３】  副垂直駆動回路３２は、上からｎ番目の副走査線２２の電圧Ｓｇａｔｅ（ｎ）をＨｉｇｈレベルにしてから１水平期間経過後に、上からｎ＋１番目の副走査線２２の電圧Ｓｇａｔｅ（ｎ＋１）を２水平期間、Ｈｉｇｈレベルにする。また、主垂直駆動回路３１は、上からｎ＋１番目の副走査線２２の電圧Ｓｇａｔｅ（ｎ＋１）がＬｏｗレベルになるタイミングで、上からｎ＋１番目の主走査線２１の電圧Ｍｇａｔｅ（ｎ＋１）を１水平期間、Ｈｉｇｈレベルにする。
【００６４】  主垂直駆動回路３１が、最も上から最も下までの主走査線２１を上述のように駆動させると共に、副垂直駆動回路３２が、最も上から最も下までの副走査線２２を上述のように駆動させることで、２画素の幅を有する黒ライン２０Ｌが垂直方向に連続的に（すなわち１水平期間に１画素の速度で）転送される。
【００６５】［効果］  第１の実施形態に係る表示装置１０は、液晶パネル２０と、液晶パネル２０を駆動する駆動部３０と、駆動部３０を介して液晶パネル２０の駆動を制御するコントローラ（制御回路）１１とを備える。コントローラ１１は、１画素以上１０画素以下の幅Ｗを有する黒ライン２０Ｌが垂直方向または水平方向に周期的に転送されるように、液晶パネル２０の駆動を制御する。これにより、１フィールドに１画素の移動速度で画面内を物体が移動した場合にも、１フィールド前後にけるディスクリネーション部分間の影響を抑制することができる。したがって、動画残像・尾引きを抑制することができる。
【００６６】  また、第１の実施形態に係る表示装置１０では、黒ライン２０Ｌを転送し動画残像・尾引きを抑制するため、全面黒表示の画像を挿入し動画残像・尾引きを抑制する表示装置に比べて輝度低下を抑制することができる。
【００６７】  また、黒ライン２０Ｌの幅Ｗは１画素以上１０画素以下の幅であるため、黒ライン２０Ｌの転送による輝度低下を抑制することができる。例えば、２画素の幅Ｗの黒ライン２０Ｌを転送した場合には、輝度低下は０．１％程度であり、液晶パネル２０の表示品質に対する影響は殆どない。また、液晶応答速度にあわせて黒ライン２０Ｌの表示時間を調整することも可能である。
【００６８】［変形例］（変形例１）  第１の実施形態では、黒ライン２０Ｌが転送される場合について説明したが、ラインの色は黒色に限定されるものではなく、白色でもよいし、任意の中間調であってもよい。また、黒ライン２０Ｌと白色のラインとが交互に転送されるようにしてもよい。この場合、表示装置１０の輝度低下をさらに抑制することができる。
【００６９】（変形例２）  第１の実施形態では、表示装置１０が、主走査線２１に駆動パルスを出力する主垂直駆動回路３１と、副走査線２２に駆動パルスを出力する副垂直駆動回路３２とを備える場合について説明したが、表示装置１０の構成はこれに限定されるものではない。表示装置１０が、主垂直駆動回路３１および副垂直駆動回路３２に代えて、主走査線２１、副走査線２２それぞれに駆動パルスを出力する１つの垂直駆動回路を備えるようにしてもよい。
【００７０】  例えば、表示装置１０が上述の“１画素の幅を有するラインを垂直方向に転送する例”で説明したように動作する場合には、電圧Ｓｇａｔｅ（ｎ）＝Ｍｇａｔｅ（ｎ−１）の関係にあるため、主垂直駆動回路３１および副垂直駆動回路３２を１つの垂直駆動回路に置き換えることが可能である。したがって、主垂直駆動回路３１および副垂直駆動回路３２の共通化により垂直駆動回路のレイアウト面積を削減し、かつ、入力信号端子を削減することができる。よって、表示装置１０の狭額縁化が可能である。
【００７１】  また、表示装置１０が上述の“２画素の幅を有するライン垂直方向に転送する第１の例”で説明したように動作する場合には、電圧Ｓｇａｔｅ（ｎ）＝Ｍｇａｔｅ（ｎ−２）の関係にあるため、同様に１つの垂直駆動回路に置き換えることが可能である。したがって、表示装置１０の狭額縁化が可能である。
【００７２】（変形例３）  第１の実施形態では、幅Ｗが一定である黒ライン２０Ｌが、転送される場合について説明したが、幅Ｗが変化する黒ライン２０Ｌが、転送されるようにしてもよい。
【００７３】  図２３は、幅Ｗが変化する黒ライン２０Ｌを転送する液晶パネル２０Ａの構成の一例を示す。液晶パネル２０Ａでは、垂直方向に隣り合う副走査線２２が上から順にペアを構成し、このペアを構成する副走査線２２同士が一端において接続されている。ペアを構成する副走査線２２には、副垂直駆動回路３２から同一の駆動パルスが出力される。したがって、液晶パネル２０Ａにおいて副垂直駆動回路３２に接続される副走査線２２の本数は、第１の実施形態の液晶パネル２０において副垂直駆動回路３２に接続される副走査線２２の本数の半分になっている。よって、液晶パネル２０Ａでは、液晶パネル２０に比べて引き回し配線の構成を簡略化することができる。
【００７４】  図２４は、幅Ｗが変化する黒ライン２０Ｌを転送する液晶パネル２０Ａの動作を説明するためのタイミングチャートである。
【００７５】  副垂直駆動回路３２は、上からｎ番目の副走査線２２とｎ＋１番目の副走査線２２の電圧Ｓｇａｔｅ（ｎ）を１水平期間、Ｈｉｇｈレベルにする。これにより、画素（ｎ，１）、（ｎ，２）、（ｎ，３）、・・・、画素（ｎ＋１，１）、（ｎ＋１，２）、（ｎ＋１，３）、・・・の副トランジスタ２８がオンになり、画素（ｎ，１）、（ｎ，２）、（ｎ，３）、・・・、画素（ｎ＋１，１）、（ｎ＋１，２）、（ｎ＋１，３）、・・・に保持容量線２４の保持容量電圧Ｖｃｓが印加される。これにより、画素（ｎ，１）、（ｎ，２）、（ｎ，３）、・・・、画素（ｎ＋１，１）、（ｎ＋１，２）、（ｎ＋１，３）、・・・は黒表示となる。
【００７６】  主垂直駆動回路３１は、上からｎ番目の副走査線２２とｎ＋１番目の副走査線２２の電圧Ｓｇａｔｅ（ｎ）がＬｏｗレベルになるタイミングで、上からｎ番目の主走査線２１の電圧Ｍｇａｔｅ（ｎ）を１水平期間、Ｈｉｇｈレベルにする。これにより、画素（ｎ，１）、（ｎ，２）、（ｎ，３）、・・・の主トランジスタ２７が１水平期間、オンになり、画素（ｎ，１）、（ｎ，２）、（ｎ，３）、・・・にそれぞれ各信号線２３の電圧Ｓｉｇ（１）、Ｓｉｇ（２）、Ｓｉｇ（３）、・・・が印加され、画素（ｎ，１）、（ｎ，２）、（ｎ，３）、・・・は所定の階調表示となる。したがって、画素（ｎ，１）、（ｎ，２）、（ｎ，３）、・・・が黒表示となる期間は、１水平期間である。
【００７７】  主垂直駆動回路３１は、上からｎ番目の副走査線２２とｎ＋１番目の副走査線２２の電圧Ｓｇａｔｅ（ｎ）がＬｏｗレベルになってから１水平期間経過後に、上からｎ＋１番目の主走査線２１の電圧Ｍｇａｔｅ（ｎ＋１）を１水平期間、Ｈｉｇｈレベルにする。これにより、画素（ｎ＋１，１）、（ｎ＋１，２）、（ｎ＋１，３）、・・・の主トランジスタ２７が１水平期間、オンになり、画素（ｎ＋１，１）、（ｎ＋１，２）、（ｎ＋１，３）、・・・にそれぞれ各電圧Ｓｉｇ（１）、Ｓｉｇ（２）、Ｓｉｇ（３）、・・・が印加され、画素（ｎ＋１，１）、（ｎ＋１，２）、（ｎ＋１，３）、・・・は所定の階調表示となる。したがって、画素（ｎ＋１，１）、（ｎ＋１，２）、（ｎ＋１，３）、・・・が黒表示となる期間は、２水平期間である。
【００７８】  副垂直駆動回路３２は、上からｎ番目の副走査線２２とｎ＋１番目の副走査線２２の電圧Ｓｇａｔｅ（ｎ）をＬｏｗレベルにしてから１水平期間経過後に、上からｎ＋２番目とｎ＋３番目の副走査線２２の電圧Ｓｇａｔｅ（ｎ＋２）を１水平期間、Ｈｉｇｈレベルにする。
【００７９】  主垂直駆動回路３１は、上からｎ＋２番目の副走査線２２とｎ＋３番目の副走査線２２の電圧Ｓｇａｔｅ（ｎ＋２）がＬｏｗレベルになるタイミングで、上からｎ＋２番目の主走査線２１の電圧Ｍｇａｔｅ（ｎ）を１水平期間、Ｈｉｇｈレベルにする。また、主垂直駆動回路３１は、上からｎ＋２番目の副走査線２２とｎ＋３番目の副走査線２２の電圧Ｓｇａｔｅ（ｎ）がＬｏｗレベルになってから１水平期間経過後に、上からｎ＋３番目の主走査線２１の電圧Ｍｇａｔｅ（ｎ＋３）を１水平期間、Ｈｉｇｈレベルにする。
【００８０】  主垂直駆動回路３１が、最も上から最も下までの主走査線２１を上述のように駆動させると共に、副垂直駆動回路３２が、最も上から最も下までの副走査線２２を上述のように駆動させることで、幅Ｗが変化する黒ライン２０Ｌが垂直方向に連続的に（すなわち１水平期間に１画素の速度で）転送される。
【００８１】（変形例４）  第１の実施形態では、コントローラ１１が、黒ライン２０Ｌが周期的に転送されるように液晶パネルの駆動を制御する場合について説明したが、黒ラスタの挿入方法はこれに限定されるものではない。例えば、コントローラが、図２５に示すように、１フィールド分の全面黒表示の画像が周期的に表示されるように液晶パネルの駆動を制御するようにしてもよい。この場合、３以上のフィールドに１つの割合で全面黒表示の画面表示されるようにすることが好ましい。これにより、２フィールドに１つの割合で全面黒表示の画面が表示される場合に比べて、輝度の低下を抑制することができる。
【００８２】  コントローラが、図２６に示すように、１フィールド分の全面白表示の画像が周期的に表示されるように液晶パネルの駆動を制御するようにしてもよい。この場合、３以上のフィールドに１つの割合で全面白表示の画面が表示されることが好ましい。これにより、２フィールドの１つの割合で全面白表示の画面が表示される場合に比べて、コントラストの低下を抑制することができる。
【００８３】  コントローラが、図２７に示すように、１フィールド分の全面黒表示の画像と１フィールド分の全面白表示の画像が交互に周期的に表示されるように液晶パネルの駆動を制御するようにしてもよい。これにより、全面黒表示の画面のみが周期的に表示される場合に比べて、輝度の低下を抑制することができる。また、全面白表示の画面のみが周期的に表示される場合に比べて、コントラストの低下を抑制することができる。この場合、３以上のフィールドに１つの割合で全面黒表示の画像または全面白表示の画面が表示されることが好ましい。これにより、２以上のフィールドに１つの割合で全面黒表示の画像または全面白表示の画面が表示される場合に比べて、輝度およびコントラストの低下を抑制することができる。
【００８４】  コントローラが、図２８に示すように、１フィールド分の全面同一の中間調の画像が周期的に表示されるように液晶パネルの駆動を制御するようにしてもよい。この場合、３以上のフィールドに１つの割合で全面同一の中間調の画面が表示されることが好ましい。これにより、２フィールドの１つの割合で全面同一の中間調の画面が表示される場合に比べて、輝度およびコントラストの低下を抑制することができる。
【００８５】  図２５に示すように、１フィールド分の全面黒表示の画像が挿入される場合、１フィールド分の全面黒表示の画像は、図２９Ａに示すように、正のフィールドおよび負のフィールドに交互に周期的に挿入されることが好ましい。このように全面黒表示の画像が挿入することで、正のフィールドおよび負のフィールドとの数が同一となるので、液晶パネルの焼け付きを抑制することができる。なお、全面白表示の画像または全面同一の中間調の画面が表示される場合にも、上記の全面黒表示の画像の場合と同様の画像挿入の動作が行われるようにしてもよい。
【００８６】  図２９Ｂに示すように、４以上のフィールドにより１つのブロックが構成されているとした場合、各ブロックの先頭から２つのフィールド（すなわち正のフィールドと負のフィールドの組）に全面黒表示の画面が挿入されるように、コントローラが液晶パネルの駆動を制御することが好ましい。このように全面黒表示の画像が挿入することで、正のフィールドおよび負のフィールドとの数が同一となるので、液晶パネルの焼け付きを抑制することができる。なお、全面白表示の画像または全面同一の中間調の画面が表示される場合にも、上記の全面黒表示の画像の場合と同様の画像挿入の動作が行われるようにしてもよい。
【００８７】＜２  第２の実施形態＞  第１の実施形態に係る表示装置１０において、図１４、図１６に示すように、液晶分子２６Ｄの方位角Φが０°＜Φ＜９０°の範囲である場合について考える。この場合、１水平期間に１画素の速度で黒ライン２０Ｌが第２の垂直方向ＶＤ２または第２の水平方向ＨＤ２に転送された場合には、黒ライン２０Ｌの転送に起因する動画残像・尾引きの発生は抑制される（図１７Ｂ、図１８Ｂ参照）。これに対して、１水平期間に１画素の速度で黒ライン２０Ｌが第１の垂直方向ＶＤ１または第１の水平方向ＨＤ１に転送された場合には、黒ライン２０Ｌのライン転送に起因する動画残像・尾引きが発生する（図１７Ａ、図１８Ａ参照）。このため、液晶分子２６Ｄの方位角Φが０°＜Φ＜９０°の範囲である場合には、黒ライン２０Ｌの転送方向が第２の垂直方向ＶＤ２または第２の水平方向ＨＤ２に予め設定されていることが好ましい。
【００８８】  しかしながら、プロジェクタ等に用いられる表示装置は、画像を上下左右反転機能して表示する機能を有しているため、黒ライン２０Ｌの転送方向として双方向（例えば第１の垂直方向ＶＤ１および第２の垂直方向ＶＤ２）がある。このため、黒ライン２０Ｌの転送方向によっては、動画残像・尾引きが発生してしまう。
【００８９】  そこで、本発明者らは、上述のような動画残像・尾引きの発生を抑制できる黒ライン２０Ｌの転送方向の転送方法について鋭意検討を行った。その結果、２画素以上の幅を有する黒ライン２０Ｌを１回の移動距離が２画素以上となるように転送することで（例えば、１水平期間に２画素以上の速度で、２画素以上の幅を有する黒ライン２０Ｌを転送することで）、黒ライン２０Ｌの転送方向に依らずに、動画残像・尾引きの発生を抑制することができることを見出すに至った。第２の実施形態では、このような転送方法を採用した表示装置について説明する。
【００９０】［表示装置の構成］  まず、図３０を参照して、本開示の第２の実施形態に係る表示装置１１０の構成の一例について説明する。表示装置１１０は、コントローラ１１１と、液晶パネル１２０と、駆動部１３０とを備える。なお、第２の実施形態において、第１の実施形態と同様の箇所には同一の符号を付して説明を省略する。
【００９１】（液晶パネル）  図３１は、液晶パネル１２０の等価回路の一例を示す図である。液晶パネル１２０は、行方向に延在された複数の主走査線（第１の走査線）１２１と、行方向に延在された複数の副走査線（第２の走査線）１２２と、行方向に延在された複数の保持容量線２４と、列方向に延在された複数の信号線（第１の信号線）１２３と、列方向に延在された複数の信号線（第２の信号線）１２４と、上から奇数番目（ｎ番目、但し、ｎは１以上の奇数である。）の主走査線１２１と信号線１２３とが互いに交差する箇所ごとに１つずつ設けられた複数の画素２５と、上から偶数番目（ｎ＋１番目）の主走査線１２１と信号線１２４とが互いに交差する箇所ごとに１つずつ設けられた複数の画素２５とを有している。複数の信号線１２４はそれぞれ、複数の信号線１２３に隣接して設けられている。
【００９２】  垂直方向に隣り合う主走査線１２１が上から順にペアを構成し、このペアを構成する主走査線１２１同士が一端において接続されている。ペアを構成する主走査線１２１には、主垂直駆動回路１３１から同一の駆動パルスが出力される。したがって、液晶パネル１２０において主垂直駆動回路３１に接続される主走査線１２１の本数は、第１の実施形態の液晶パネル２０において主垂直駆動回路１３１に接続される主走査線２１の本数の半分になっている。よって、液晶パネル１２０では、液晶パネル２０に比べて主走査線１２１の引き回し配線の構成を簡略化することができる。
【００９３】  垂直方向に隣り合う副走査線１２２が上から順にペアを構成し、このペアを構成する副走査線１２２同士が一端において接続されている。ペアを構成する副走査線１２２には、副垂直駆動回路１３２から同一の駆動パルスが出力される。したがって、液晶パネル１２０において副垂直駆動回路１３２に接続される副走査線１２２の本数は、第１の実施形態の液晶パネル２０において副垂直駆動回路３２に接続される副走査線２２の本数の半分になっている。よって、液晶パネル２０Ａでは、液晶パネル２０に比べて副走査線１２２の引き回し配線の構成を簡略化することができる。
【００９４】  画素ｐｉｘ（ｎ、ｍ）では、主トランジスタ２７のソース電極（またはドレイン電極）は信号線２３に接続されている。一方、画素ｐｉｘ（ｎ、ｍ）と垂直方向に隣り合う画素ｐｉｘ（ｎ＋１、ｍ）では、主トランジスタ２７のソース電極（またはドレイン電極）は信号線１２４に接続されている。
【００９５】（駆動部）  駆動部１３０は、複数の主走査線１２１に接続された主垂直駆動回路（第１の垂直駆動回路）１３１と、複数の副走査線１２２に接続された副走査線駆動回路（第２の垂直駆動回路）１３２と、複数の信号線１２３に接続された水平駆動回路（第１の水平駆動回路）１３３と、複数の信号線１２４に接続された水平駆動回路（第２の水平駆動回路）１３４とを有している。
【００９６】  主垂直駆動回路１３１および副垂直駆動回路１３２は、駆動パルスを出力する主走査線２１の数が異なる以外の点においては、第１の実施形態における主垂直駆動回路３１および副垂直駆動回路３２と同様である。
【００９７】  水平駆動回路１３３は、コントローラ１１１から供給される制御信号に基づいて作動し、信号電圧ＳｉｇＡ（ｍ）を各信号線１２３を介して上から奇数番目の画素ｐｉｘ（ｎ、１）、ｐｉｘ（ｎ、２）、・・・にパラレル出力する。水平駆動回路１３３は、コントローラ１１から供給される制御信号に基づいて作動し、信号電圧ＳｉｇＢ（ｍ）を各信号線１２４を介して上から偶数番目の画素ｐｉｘ（ｎ＋１、１）、ｐｉｘ（ｎ＋１、２）、・・・にパラレル出力する。信号電圧ＳｉｇＡ（ｍ）および信号電圧ＳｉｇＡ（ｍ）は、外部から入力された映像信号の階調に応じた波高値もしくはパルス幅を有している。
【００９８】（コントローラ）  コントローラ１１１は、２画素以上１０画素以下の幅Ｗを有する黒ライン２０Ｌが表示画面内において垂直方向または水平方向に周期的に転送されるように、液晶パネル２０の駆動を制御する。黒ライン２０Ｌの１回の移動距離は、図３２に示すように、２画素以上、黒ライン２０Ｌの幅以下（具体的には、黒ライン２０Ｌの幅方向における黒ライン２０Ｌの画素数以下）であり、ラインの移動は、規定期間毎に行われる。すなわち、黒ライン２０Ｌの転送速度は、垂直方向または水平方向に規定期間に２画素以上、黒ライン２０Ｌの幅以下であり、黒ライン２０Ｌは、垂直方向または水平方向に不連続的に転送される。ここで、規定期間は、例えば１フィールドまたはｎ水平期間（ｎは、１以上の整数である。）である。
【００９９】  上述のように、黒ライン２０Ｌの１回の移動距離は、２画素以上、黒ライン２０Ｌの幅以下であるため、移動前後の黒ライン２０Ｌの間に隙間が形成されることがなく、黒ライン２０Ｌは画面内に隙間無く転送される。但し、黒ライン２０Ｌが規定期間に２画素以上の速度で転送されていれば、移動前後の黒ライン２０Ｌの一部が重なっていてもよい。
【０１００】［表示装置の動作］（第１の例）  次に、図３３を参照して、２画素の幅Ｗを有する黒ライン２０Ｌを１回の移動距離が２画素となるように垂直方向に転送するときの表示装置１１０の動作の第１の例について説明する。
【０１０１】  副垂直駆動回路１３２は、上からｎ番目の副走査線１２２とｎ＋１番目の副走査線１２２の電圧Ｓｇａｔｅ（ｎ）を１水平期間、Ｈｉｇｈレベルにする。これにより、画素（ｎ，１）、（ｎ，２）、・・・、および画素（ｎ＋１，１）、（ｎ＋１，２）、・・・の副トランジスタ２８がオンになり、画素（ｎ，１）、（ｎ，２）、・・・、および画素（ｎ＋１，１）、（ｎ＋１，２）、・・・に保持容量線２４の保持容量電圧Ｖｃｓが印加される。したがって、画素（ｎ，１）、（ｎ，２）、・・・、および画素（ｎ＋１，１）、（ｎ＋１，２）、・・・は黒表示となる。
【０１０２】  主垂直駆動回路１３１は、上からｎ番目の副走査線１２２とｎ＋１番目の副走査線１２２の電圧Ｓｇａｔｅ（ｎ）がＬｏｗレベルになるタイミングで、上からｎ番目の主走査線１２１とｎ＋１番目の主走査線１２１の電圧Ｍｇａｔｅ（ｎ）を２水平期間、Ｈｉｇｈレベルにする。これにより、画素（ｎ，１）、（ｎ，２）、・・・の主トランジスタ２７が２水平期間、オンになり、画素（ｎ，１）、（ｎ，２）、・・・に各信号線１２３の電圧ＳｉｇＡ（１）、ＳｉｇＡ（２）、・・・が印加され、画素（ｎ，１）、（ｎ，２）、・・・は所定の階調表示となる。また、画素（ｎ＋１，１）、（ｎ＋１，２）、・・・の主トランジスタ２７が２水平期間、オンになり、画素（ｎ＋１，１）、（ｎ＋１，２）、・・・に各信号線１２４の電圧ＳｉｇＢ（１）、ＳｉｇＢ（２）、・・・が印加され、画素（ｎ＋１，１）、（ｎ＋１，２）、・・・は所定の階調表示となる。したがって、画素（ｎ，１）、（ｎ，２）、・・・、および画素（ｎ＋１，１）、（ｎ＋１，２）、・・・が黒表示となる期間は、１水平期間である。
【０１０３】  副垂直駆動回路１３２は、上からｎ番目の副走査線１２２とｎ＋１番目の副走査線１２２の電圧Ｓｇａｔｅ（ｎ）をＬｏｗレベルにしてから１水平期間経過後に、上からｎ＋２番目の副走査線１２２とｎ＋３番目の副走査線１２２の電圧Ｓｇａｔｅ（ｎ＋２）を１水平期間、Ｈｉｇｈレベルにする。
【０１０４】  主垂直駆動回路１３１は、上からｎ＋２番目の副走査線１２２とｎ＋３番目の副走査線２２の電圧Ｓｇａｔｅ（ｎ＋２）がＬｏｗレベルになるタイミングで、上からｎ＋２番目の主走査線１２１とｎ＋３番目の主走査線１２１の電圧Ｍｇａｔｅ（ｎ＋２）を２水平期間、Ｈｉｇｈレベルにする。
【０１０５】  主垂直駆動回路１３１が、最も上から最も下までの主走査線１２１を上述のように駆動させると共に、副垂直駆動回路１３２が、最も上から最も下までの副走査線１２２を上述のように駆動させることで、２画素の幅Ｗを有する黒ライン２０Ｌを１回の移動距離が２画素となるように垂直方向に転送される。
【０１０６】  上述の表示装置１１０の動作では、黒ライン２０Ｌの挿入期間が短くて済むので、輝度の低下を特に抑制することができる。
【０１０７】（第２の例）  次に、図３４を参照して、２画素の幅Ｗを有する黒ライン２０Ｌを１回の移動距離が２画素となるように垂直方向に転送するときの表示装置１１０の動作の第２の例について説明する。
【０１０８】  主垂直駆動回路１３１は、上からｎ番目の副走査線１２２とｎ＋１番目の副走査線１２２の電圧Ｓｇａｔｅ（ｎ）がＬｏｗレベルになってから１水平期間経過後、上からｎ番目の主走査線１２１とｎ＋１番目の主走査線１２１の電圧Ｍｇａｔｅ（ｎ）を２水平期間、Ｈｉｇｈレベルにする。
【０１０９】  上記以外の表示装置１１０の動作は、上述の“第１の例”と同様である。第２の例では、画素（ｎ，１）、（ｎ，２）、・・・、および画素（ｎ＋１，１）、（ｎ＋１，２）、・・・が黒表示となる期間は、２水平期間となる。
【０１１０】（第３の例）  次に、図３５を参照して、２画素の幅Ｗを有する黒ライン２０Ｌを１回の移動距離が２画素となるように垂直方向に転送するときの表示装置１１０の動作の第３の例について説明する。
【０１１１】  副垂直駆動回路１３２は、上からｎ番目の副走査線１２２とｎ＋１番目の副走査線１２２の電圧Ｓｇａｔｅ（ｎ）を２水平期間、Ｈｉｇｈレベルにする。
【０１１２】  上記以外の表示装置１１０の動作は、上述の“第１の例”と同様である。第３の例では、画素（ｎ，１）、（ｎ，２）、・・・、および画素（ｎ＋１，１）、（ｎ＋１，２）、・・・が黒表示となる期間は、２水平期間となる。
【０１１３】  上述の表示装置１１０の動作では、電圧Ｓｇａｔｅ（ｎ）＝Ｍｇａｔｅ（ｎ−２）の関係にあるため、主垂直駆動回路３１および副垂直駆動回路３２を１つの垂直駆動回路に置き換えることも可能である。このような構成を採用した場合には、表示装置１１０の構成を簡略化することができる。
【０１１４】［効果］  第２の実施形態に係る表示装置１１０では、コントローラ１１１が、黒ライン２０Ｌの１回の移動距離が２画素以上、黒ライン２０Ｌの幅以下とるように、２画素以上１０画素以下の幅Ｗを有する黒ライン２０Ｌを垂直方向または水平方向に転送する。これにより、１フィールドに１画素の移動速度で画面内を物体が移動した場合にも、横電界の影響が連続することを抑制することができる。したがって、黒ライン２０Ｌの転送方向に依らずに、黒ライン２０Ｌの転送方向に起因する動画残像・尾引きの発生を抑制することができる。
【０１１５】［変形例］  液晶パネルの構成は、上述の第２の実施形態にて説明したものに限定されず、それとは異なる構成を採用するようにしてもよい。以下では、第２の実施形態とは異なる構成を有する液晶パネルの例について説明する。
【０１１６】（変形例１）  まず、図３６を参照して、変形例１の液晶パネル１２０Ａの構成の一例について説明する。垂直方向に隣接する画素２５は、上から順にペアを構成している。垂直方向にペアを構成する画素２５は、液晶パネル１２０Ａの水平方向に延びる直線に対して線対称の構造を有している。ペアを構成する画素２５の主トランジスタ２７は、同一の主走査線１２１に接続されている。このようにペアを構成する画素２５同士は、同一の主走査線１２１を共用しているため、変形例１における主走査線１２１の本数は、第２の実施形態における主走査線１２１の本数の半分で済む。また、ペアを構成する画素２５の副トランジスタ２８は、同一の副走査線１２２に接続されている。このようにペアを構成する画素２５同士は、同一の副走査線１２２を共用しているため、変形例１における副走査線１２２の本数は、第２の実施形態における副走査線１２２の本数の半分で済む。変形例１の液晶パネル１２０Ａは、上記以外の点においては、第２の実施形態の液晶パネル１２０と同様である。
【０１１７】  次に、図３７を参照して、変形例１の液晶パネル１２０Ａの動作の一例について説明する。副垂直駆動回路３２は、上からｎ番目の副走査線２２の電圧Ｓｇａｔｅ（ｎ）を２水平期間、Ｈｉｇｈレベルにする。これにより、ペアを構成する画素（ｎ，１）、（ｎ，２）、・・・、および画素（ｎ＋１，１）、（ｎ＋１，２）、・・・の副トランジスタ２８がオンになり、（ｎ，１）、（ｎ，２）、・・・、および画素（ｎ＋１，１）、（ｎ＋１，２）、・・・に保持容量線２４の保持容量電圧Ｖｃｓが印加される。これにより、ペアを構成する画素（ｎ，１）、（ｎ，２）、・・・、および画素（ｎ＋１，１）、（ｎ＋１，２）、・・・は黒表示となる。
【０１１８】  主垂直駆動回路３１は、上からｎ番目の副走査線２２の電圧Ｓｇａｔｅ（ｎ）がＬｏｗレベルになるタイミングで、上からｎ番目の主走査線２１の電圧Ｍｇａｔｅ（ｎ）を２水平期間、Ｈｉｇｈレベルにする。これにより、画素（ｎ，１）、（ｎ，２）、・・・の主トランジスタ２７が２水平期間、オンになり、画素（ｎ，１）、（ｎ，２）、・・・にそれぞれ各信号線１２３の電圧ＳｉｇＡ（１）、ＳｉｇＡ（２）、・・・が印加され、画素（ｎ，１）、（ｎ，２）、・・・は所定の階調表示となる。また、画素（ｎ，１）、（ｎ，２）、・・・とそれぞれペアを構成する画素（ｎ＋１，１）、（ｎ＋１，２）、・・・の主トランジスタ２７が２水平期間、オンになり、画素（ｎ＋１，１）、（ｎ＋１，２）、・・・にそれぞれ各信号線１２４の電圧ＳｉｇＢ（１）、ＳｉｇＢ（２）、・・・が印加され、画素（ｎ＋１，１）、（ｎ＋１，２）、・・・は所定の階調表示となる。したがって、画素（ｎ，１）、（ｎ，２）、・・・、および画素（ｎ＋１，１）、（ｎ＋１，２）、・・・が黒表示となる期間は、２水平期間である。
【０１１９】  副垂直駆動回路１３２は、上からｎ番目の副走査線１２２の電圧Ｓｇａｔｅ（ｎ）をＬｏｗレベルにするタイミングで、上からｎ＋１番目の副走査線１２２の電圧Ｓｇａｔｅ（ｎ＋１）を２水平期間、Ｈｉｇｈレベルにする。
【０１２０】  主垂直駆動回路１３１は、上からｎ＋１番目の副走査線１２２の電圧Ｓｇａｔｅ（ｎ＋１）がＬｏｗレベルになるタイミングで、上からｎ＋１番目の主走査線１２１の電圧Ｍｇａｔｅ（ｎ＋１）を２水平期間、Ｈｉｇｈレベルにする。
【０１２１】  主垂直駆動回路１３１が、最も上から最も下までの主走査線１２１を上述のように駆動させると共に、副垂直駆動回路１３２が、最も上から最も下までの副走査線１２２を上述のように駆動させることで、２画素の幅Ｗを有する黒ライン２０Ｌを１回の移動距離が２画素となるように垂直方向に転送される。
【０１２２】  上述の液晶パネル１２０Ａの動作では、電圧Ｓｇａｔｅ（ｎ）＝Ｍｇａｔｅ（ｎ−１）の関係にあるため、主垂直駆動回路１３１および副垂直駆動回路１３２を１つの垂直駆動回路に置き換えることも可能である。このような構成を採用した場合には、液晶パネル１２０Ａの構成を簡略化することができる。
【０１２３】（変形例２）  図３８を参照して、変形例２の液晶パネル１２０Ｂの等価回路の一例について説明する。水平方向に隣接する画素２５は、左から順にペアを構成している。水平方向にペアを構成する画素２５は、液晶パネル１２０Ｂの垂直方向に延びる直線に対して線対称の構造を有している。変形例２の液晶パネル１２０Ａは、上記以外の点においては、第２の実施形態の液晶パネル１２０（図３１参照）と同様である。
【０１２４】  変形例２の液晶パネル１２０Ａの動作は、第２の実施形態の液晶パネル１２０の動作（図３３〜図３４参照）と同様であるので説明を省略する。
【０１２５】（変形例３）  図３９を参照して、変形例３の液晶パネル１２０Ｃの等価回路の一例について説明する。垂直方向に隣接する画素２５は、上から順にペアを構成している。垂直方向にペアを構成する画素２５は、液晶パネル１２０Ａの水平方向に延びる直線に対して線対称の構造を有している。また、水平方向に隣接する画素２５は、左から順にペアを構成している。水平方向にペアを構成する画素２５は、液晶パネル１２０Ｂの垂直方向に延びる直線に対して線対称の構造を有している。変形例３の液晶パネル１２０Ｃは、上記以外の点においては、第２の実施形態の液晶パネル１２０（図３１参照）と同様である。
【０１２６】  変形例３の液晶パネル１２０Ｃの動作は、変形例１の液晶パネル１２０の動作（図３７参照）と同様であるので説明を省略する。
【０１２７】（変形例４）  第１の実施形態では、黒ライン２０Ｌの幅Ｗが１画素以上１０画素以下である場合について説明したが、黒ライン２０Ｌの幅Ｗが１０画素を超えるようにしてもよい。例えば、黒ライン２０Ｌが垂直方向に転送される場合には、黒ライン２０Ｌの幅Ｗが、１画素以上、液晶パネル２０の垂直方向が画素数未満、または１画素以上、液晶パネル２０の垂直方向の画素数の半分以下とするようにしてもよい。また、黒ライン２０Ｌが水平方向に転送される場合には、黒ライン２０Ｌの幅Ｗが、１画素以上、液晶パネル２０の水平方向が画素数未満、または１画素以上、液晶パネル２０の水平方向の画素数の半分以下とするようにしてもよい。但し、輝度低下抑制の観点からすると、第１の実施形態におけるように、黒ライン２０Ｌの幅Ｗは、１０画素以下であることが好ましい。
【０１２８】＜３  第３の実施形態＞［表示装置の構成］  まず、図４０を参照して、本開示の第３の実施形態に係る表示装置２１０の構成の一例について説明する。表示装置２１０は、コントローラ２１１と、液晶パネル２２０と、駆動部２３０とを備える。なお、第３の実施形態において、第１または第２の実施形態と同様の箇所には同一の符号を付して説明を省略する。
【０１２９】（液晶パネル）  図４１は、液晶パネル２２０の等価回路の一例を示す図である。液晶パネル２２０は、複数の副走査線（第２の走査線）１２２を有していないこと、および画素２５に代えて画素２２５を有すること以外は、第２の実施形態における液晶パネル１２０（図３１参照）と同様である。画素２２５は、副トランジスタ２８を有していないこと以外は、第２の実施形態における画素２５（図３１参照）と同様である。
【０１３０】（駆動部）  駆動部２３０は、複数の主走査線１２１に接続された主垂直駆動回路（第１の垂直駆動回路）１３１と、複数の信号線１２３に接続された水平駆動回路（第１の水平駆動回路）１３３と、複数の信号線１２４に接続された水平駆動回路（第２の水平駆動回路）１３４とを有している。
【０１３１】（コントローラ）  コントローラ１１１は、黒ライン２０Ｌが表示画面内において垂直方向または水平方向に周期的に転送されるように、駆動部２３０を介して液晶パネル２２０を制御する。
【０１３２】［表示装置の動作］（第１の例）  次に、図４２を参照して、２画素の幅Ｗを有する黒ライン２０Ｌを１回の移動距離が２画素となるように垂直方向に転送するときの表示装置２１０の動作の第１の例について説明する。
【０１３３】  主垂直駆動回路１３１は、上からｎ番目の主走査線１２１とｎ＋１番目の主走査線１２１の電圧Ｍｇａｔｅ（ｎ）を１水平期間、Ｈｉｇｈレベルにする。これにより、画素（ｎ，１）、（ｎ，２）、・・・の主トランジスタ２７がオンになり、画素（ｎ，１）、（ｎ，２）、・・・にそれぞれ各信号線１２３の電圧（黒表示の電圧）ＳｉｇＡ（１）、ＳｉｇＡ（２）、・・・が印加される。また、画素（ｎ＋１，１）、（ｎ＋１，２）、・・・の主トランジスタ２７がオンになり、画素（ｎ＋１，１）、（ｎ＋１，２）、・・・にそれぞれ各信号線１２４の電圧（黒表示の電圧）ＳｉｇＢ（１）、ＳｉｇＢ（２）、・・・が印加される。これにより、画素（ｎ，１）、（ｎ，２）、・・・、および画素（ｎ＋１，１）、（ｎ＋１，２）、・・・は黒表示となる。
【０１３４】  主垂直駆動回路１３１は、上からｎ番目の主走査線１２１とｎ＋１番目の主走査線１２１の電圧Ｍｇａｔｅ（ｎ）がＬｏｗレベルになってから１水平期間経過後に、上からｎ番目の主走査線１２１の電圧Ｍｇａｔｅ（ｎ）を１水平期間、Ｈｉｇｈレベルにする。これにより、画素（ｎ，１）、（ｎ，２）、・・・の主トランジスタ２７がオンになり、画素（ｎ，１）、（ｎ，２）、・・・にそれぞれ各信号線１２３の電圧（所定の階調表示の電圧）ＳｉｇＡ（１）、ＳｉｇＡ（２）、・・・が印加される。また、画素（ｎ＋１，１）、（ｎ＋１，２）、・・・の主トランジスタ２７がオンになり、画素（ｎ＋１，１）、（ｎ＋１，２）、・・・にそれぞれ各信号線１２４の電圧（所定の階調表示の電圧）ＳｉｇＢ（１）、ＳｉｇＢ（２）、・・・が印加される。これにより、画素（ｎ，１）、（ｎ，２）、・・・、および画素（ｎ＋１，１）、（ｎ＋１，２）、・・・は所定の階調表示となる。したがって、画素（ｎ，１）、（ｎ，２）、・・・、および画素（ｎ＋１，１）、（ｎ＋１，２）、・・・が黒表示となる期間は、２水平期間である。
【０１３５】  主垂直駆動回路１３１は、上からｎ番目の主走査線１２１とｎ＋１番目の主走査線１２１の電圧Ｍｇａｔｅ（ｎ）がＬｏｗレベルになってから１水平期間経過後に、上からｎ＋２番目の主走査線１２１とｎ＋３番目の主走査線１２１の電圧Ｍｇａｔｅ（ｎ＋２）を１水平期間、Ｈｉｇｈレベルにする。これにより、画素（ｎ＋２，１）、（ｎ＋２，２）、・・・の主トランジスタ２７がオンになり、画素（ｎ＋２，１）、（ｎ＋２，２）、・・・にそれぞれ各信号線１２３の電圧（黒表示の電圧）ＳｉｇＡ（１）、ＳｉｇＡ（２）、・・・が印加される。また、画素（ｎ＋３，１）、（ｎ＋３，２）、・・・の主トランジスタ２７がオンになり、画素（ｎ＋３，１）、（ｎ＋３，２）、・・・にそれぞれ各信号線１２４の電圧（黒表示の電圧）ＳｉｇＢ（１）、ＳｉｇＢ（２）、・・・が印加される。これにより、画素（ｎ＋２，１）、（ｎ＋２，２）、・・・、および画素（ｎ＋３，１）、（ｎ＋３，２）、・・・は黒表示となる。
【０１３６】  主垂直駆動回路１３１は、上からｎ＋２番目の主走査線１２１とｎ＋３番目の主走査線１２１の電圧Ｍｇａｔｅ（ｎ＋１）がＬｏｗレベルになってから１水平期間経過後に、上からｎ＋２番目の主走査線１２１とｎ＋３番目の主走査線１２１の電圧Ｍｇａｔｅ（ｎ＋２）を１水平期間、Ｈｉｇｈレベルにする。これにより、画素（ｎ＋２，１）、（ｎ＋２，２）、・・・の主トランジスタ２７がオンになり、画素（ｎ＋２，１）、（ｎ＋２，２）、・・・にそれぞれ各信号線１２３の電圧（所定の階調表示の電圧）ＳｉｇＡ（１）、ＳｉｇＡ（２）、・・・が印加される。また、画素（ｎ＋３，１）、（ｎ＋３，２）、・・・の主トランジスタ２７がオンになり、画素（ｎ＋３，１）、（ｎ＋３，２）、・・・にそれぞれ各信号線１２３の電圧（所定の階調表示の電圧）ＳｉｇＢ（１）、ＳｉｇＢ（２）、・・・が印加される。これにより、画素（ｎ＋２，１）、（ｎ＋２，２）、・・・、および画素（ｎ＋３，１）、（ｎ＋３，２）、・・・は所定の階調表示となる。
【０１３７】  主垂直駆動回路１３１が、最も上から最も下までの主走査線１２１を上述のように駆動させることで、２画素の幅Ｗを有する黒ライン２０Ｌを１回の移動距離が２画素となるように垂直方向に転送させることができる。（第２の例）  次に、図４３を参照して、２画素の幅Ｗを有する黒ライン２０Ｌを１回の移動距離が２画素となるように垂直方向に転送するときの表示装置２１０の動作の第１の例について説明する。
【０１３８】  主垂直駆動回路１３１は、上からｎ番目の主走査線１２１とｎ＋１番目の主走査線１２１の電圧Ｍｇａｔｅ（ｎ）がＬｏｗレベルになってから４水平期間経過後に、上からｎ番目の主走査線１２１とｎ＋１番目の主走査線１２１の電圧Ｍｇａｔｅ（ｎ）を１水平期間、Ｈｉｇｈレベルにする。これにより、画素（ｎ，１）、（ｎ，２）、・・・、および画素（ｎ＋１，１）は所定の階調表示となる。したがって、画素（ｎ，１）および画素（ｎ＋１，１）、（ｎ＋１，２）、・・・が黒表示となる期間は、５水平期間である。上記以外の表示装置１１０の動作は、上述の“第１の例”と同様である。
【０１３９】（第３の例）  次に、図４４を参照して、２画素の幅Ｗを有する黒ライン２０Ｌを１回の移動距離が２画素となるように垂直方向に転送するときの表示装置２１０の動作の第３の例について説明する。
【０１４０】  主垂直駆動回路１３１は、上からｎ番目の主走査線１２１とｎ＋１番目の主走査線１２１の電圧Ｍｇａｔｅ（ｎ）を２水平期間、Ｈｉｇｈレベルにする。水平駆動回路１３３は、上からｎ番目の主走査線１２１の電圧Ｍｇａｔｅ（ｎ）がハイレベルになるタイミングで、各信号線１２３の電圧ＳｉｇＡ（１）、ＳｉｇＡ（２）・・・を黒表示の電圧にする。また、水平駆動回路１３４は、上からｎ＋１番目の主走査線１２１の電圧Ｍｇａｔｅ（ｎ）がハイレベルになるタイミングで、各信号線１２４の電圧ＳｉｇＢ（１）、ＳｉｇＢ（２）・・・を黒表示の電圧にする。これにより、画素（ｎ，１）、（ｎ，２）、・・・、および画素（ｎ＋１，１）、（ｎ＋１，２）、・・・が黒表示となる。
【０１４１】  水平駆動回路１３３は、上からｎ番目の主走査線１２１とｎ＋１番目の電圧Ｍｇａｔｅ（ｎ）がハイレベルになってから１水平期間経過後、各信号線１２３の電圧ＳｉｇＡ（１）、ＳｉｇＡ（２）、・・・を所定の階調表示の電圧にする。また、水平駆動回路１３４は、上からｎ番目の主走査線１２１とｎ＋１番目の電圧Ｍｇａｔｅ（ｎ）がハイレベルになってから１水平期間経過後、各信号線１２４の電圧ＳｉｇＢ（１）、ＳｉｇＢ（２）、・・・を所定の階調表示の電圧にする。これにより、画素（ｎ，１）、（ｎ，２）、・・・、および画素（ｎ＋１，１）、（ｎ＋１，２）、・・・が、所定の階調表示となる。
【０１４２】  主垂直駆動回路１３１は、上からｎ番目の主走査線１２１とｎ＋１番目の主走査線１２１の電圧Ｍｇａｔｅ（ｎ）がＬｏｗレベルになるタイミングで、上からｎ＋２番目の主走査線１２１とｎ＋３番目の電圧Ｍｇａｔｅ（ｎ＋２）を２水平期間、Ｈｉｇｈレベルにする。
【０１４３】  主垂直駆動回路１３１が、最も上から最も下までの主走査線１２１を上述のように駆動させると共に、水平駆動回路１３３および水平駆動回路１３４が最も左から最も右までの信号線１２３および信号線１２４を上述のように駆動させることで、２画素の幅Ｗを有する黒ライン２０Ｌを１回の移動距離が２画素となるように垂直方向に転送される。
【０１４４】［効果］  第３の実施形態に係る表示装置２１０では、コントローラ２１１が、黒ライン２０Ｌの１回の移動距離が２画素以上、黒ライン２０Ｌの幅以下とるように、黒ライン２０Ｌを垂直方向または水平方向に転送する。したがって、第２の実施形態に係る表示装置１１０と同様の効果を得ることができる。
【０１４５】［変形例］  まず、図４５を参照して、変形例の液晶パネル２２０Ａの等価回路の一例について説明する。垂直方向に隣接する画素２２５は、上から順にペアを構成している。垂直方向にペアを構成する画素２２５は、液晶パネル２２０Ａの水平方向に延びる直線に対して線対称の構造を有している。ペアを構成する画素２２５の主トランジスタ２７は、同一の主走査線１２１に接続されている。このようにペアを構成する画素２２５同士は、同一の主走査線１２１を共用しているため、変形例における主走査線１２１の本数は、第３の実施形態における主走査線１２１の本数の半分で済む。変形例の液晶パネル２２０Ａは、上記以外の点においては、第３の実施形態の液晶パネル２２０と同様である。
【０１４６】  次に、図４６を参照して、変形例の液晶パネル２２０Ａの動作の一例について説明する。主垂直駆動回路１３１は、上からｎ番目の主走査線１２１とｎ＋１番目の電圧Ｍｇａｔｅ（ｎ）を１水平期間、Ｈｉｇｈレベルにする。水平駆動回路１３３は、上からｎ番目の主走査線１２１とｎ＋１番目の電圧Ｍｇａｔｅ（ｎ）がハイレベルとなるタイミングで、各信号線１２３の電圧ＳｉｇＡ（１）、ＳｉｇＡ（２）、・・・を黒表示の電圧にする。また、水平駆動回路１３４は、各信号線１２４の電圧ＳｉｇＢ（１）、ＳｉｇＢ（２）、・・・を黒表示の電圧にする。これにより、画素（ｎ，１）、（ｎ，２）、・・・、および画素（ｎ＋１，１）、（ｎ＋１，２）、・・・が、黒表示となる。
【０１４７】  主垂直駆動回路１３１は、上からｎ番目の主走査線１２１とｎ＋１番目の主走査線１２１の電圧Ｍｇａｔｅ（ｎ）がＬｏｗレベルになってから２水平期間経過後、上からｎ番目の主走査線１２１とｎ＋１番目の電圧Ｍｇａｔｅ（ｎ）を１水平期間、Ｈｉｇｈレベルにする。水平駆動回路１３３は、上からｎ番目の主走査線１２１とｎ＋１番目の主走査線１２１の電圧Ｍｇａｔｅ（ｎ）がハイレベルとなるタイミングで、各信号線１２３の電圧ＳｉｇＡ（１）、ＳｉｇＡ（２）、・・・を所定の階調表示の電圧にする。また、水平駆動回路１３４は、各信号線１２４の電圧ＳｉｇＢ（１）、ＳｉｇＢ（２）、・・・を所定の階調表示の電圧にする。これにより、画素（ｎ，１）、（ｎ，２）、・・・、および画素（ｎ＋１，１）、（ｎ＋１，２）、・・・が、所定の階調表示となる。
【０１４８】  主垂直駆動回路１３１は、画素（ｎ，１）および画素（ｎ＋，１）に通常の映像信号に基づく電圧が印加されるタイミングで、上からｎ＋２番目の主走査線１２１とｎ＋３番目の電圧Ｍｇａｔｅ（ｎ）を１水平期間、Ｈｉｇｈレベルにする。
【０１４９】  主垂直駆動回路１３１が、上からｎ番目の主走査線１２１とｎ＋１番目の主走査線１２１の電圧Ｍｇａｔｅ（ｎ）がＬｏｗレベルになってから１水平期間経過後、上からｎ＋２番目の主走査線１２１とｎ＋３番目の電圧Ｍｇａｔｅ（ｎ＋１）を１水平期間、Ｈｉｇｈレベルにする。
【０１５０】  最も上から最も下までの主走査線１２１を上述のように駆動させると共に、水平駆動回路１３３および水平駆動回路１３４が最も左から最も右までの信号線１２３および信号線１２４を上述のように駆動させることで、２画素以上の幅Ｗを有する黒ライン２０Ｌを１回の移動距離が２画素となるように垂直方向に転送される。
【０１５１】＜４  第４の実施形態＞［表示装置の構成］  まず、図４７を参照して、本開示の第４の実施形態に係る表示装置３１０の構成の一例について説明する。表示装置３１０は、コントローラ３１１と、液晶パネル３２０と、駆動部３３０とを備える。なお、第４の実施形態において、第１の実施形態と同様の箇所には同一の符号を付して説明を省略する。
【０１５２】（液晶パネル）  図４８は、液晶パネル３２０の等価回路の一例を示す図である。液晶パネル３２０は、複数の副走査線（第２の走査線）２２を有していないこと、および画素２５に代えて画素３２５を有すること以外は、第１の実施形態における液晶パネル２０と同様である。画素３２５は、副トランジスタ２８を有していないこと以外は、第１の実施形態における画素２５と同様である。
【０１５３】（駆動部）  駆動部２３０は、複数の主走査線２１に接続された主垂直駆動回路（第１の垂直駆動回路）３１と、複数の信号線２３に接続された水平駆動回路（第１の水平駆動回路）３３とを有している。
【０１５４】（コントローラ）  コントローラ３１１は、黒ライン２０Ｌが表示画面内において垂直方向または水平方向に周期的に転送されるように、駆動部３３０を介して液晶パネル３２０を制御する。
【０１５５】［表示装置の動作］（第１の例）  次に、図４９を参照して、黒ライン２０Ｌを垂直方向に転送するときの表示装置３１０の動作の第１の例について説明する。
【０１５６】  主垂直駆動回路３１は、上からｎ番目の主走査線２１を規定期間（例えば１水平期間より短い期間）、Ｈｉｇｈレベルにする。水平駆動回路３３は、上からｎ番目の主走査線２１の電圧Ｍｇａｔｅ（ｎ）がハイレベルとなるタイミングで、各信号線２３の電圧Ｓｉｇ（１）、Ｓｉｇ（２）、・・・を黒表示の電圧にする。これにより、画素ｐｉｘ（ｎ，１）、ｐｉｘ（ｎ＋１，１）、・・・に黒表示の電圧が印加され、画素ｐｉｘ（ｎ，１）、ｐｉｘ（ｎ＋１，１）、・・・は黒表示となる。
【０１５７】  主垂直駆動回路３１は、上からｎ番目の主走査線１２１の電圧Ｍｇａｔｅ（ｎ）がＬｏｗレベルになってから規定期間（例えば１水平期間より長い期間）経過後、上からｎ番目の主走査線２１を規定期間（例えば１水平期間より短い期間）、Ｈｉｇｈレベルにする。水平駆動回路３３は、上からｎ番目の主走査線２１の電圧Ｍｇａｔｅ（ｎ）がハイレベルとなるタイミングで、各信号線１２３の電圧Ｓｉｇ（１）、Ｓｉｇ（２）、・・・を所定の階調表示の電圧にする。これにより、画素ｐｉｘ（ｎ，１）、ｐｉｘ（ｎ，２）、・・・に所定の階調表示の電圧が印加され、画素ｐｉｘ（ｎ，１）、ｐｉｘ（ｎ，２）、・・・は所定の階調表示となる。
【０１５８】  主垂直駆動回路３１が、最も上から最も下までの主走査線２１を上述のように駆動させると共に、水平駆動回路３３が最も左から最も右までの信号線２３を上述のように駆動させることで、黒ライン２０Ｌを垂直方向に転送することができる。
【０１５９】  なお、黒表示の期間は第１の例に限定されるものではなく、画素ｐｉｘ（ｎ，１）、ｐｉｘ（ｎ，２）、・・・に対する黒表示の電圧の印加から、所定の階調表示の電圧の印加までの時間を調整することで、図５０に示すように、黒表示の期間をさらに長くし、例えば３水平期間程度にするようにしてもよい。
【０１６０】（第２の例）  次に、図５１を参照して、黒ライン２０Ｌを垂直方向に転送するときの表示装置３１０の動作の第２の例について説明する。
【０１６１】  主垂直駆動回路３１は、上からｎ番目の主走査線２１を１水平期間、Ｈｉｇｈレベルにする。水平駆動回路３３は、上からｎ番目の主走査線２１の電圧Ｍｇａｔｅ（ｎ）がハイレベルとなるタイミングで、各信号線２３の電圧Ｓｉｇ（１）、Ｓｉｇ（２）、・・・を黒表示の電圧にする。これにより、画素ｐｉｘ（ｎ，１）、ｐｉｘ（ｎ，２）、・・・に黒表示の電圧が印加され、画素ｐｉｘ（ｎ，１）、ｐｉｘ（ｎ，２）、・・・は黒表示となる。
【０１６２】  水平駆動回路３３は、上からｎ番目の主走査線２１の電圧Ｍｇａｔｅ（ｎ）がハイレベルとなってから１水平期間経過する前に、すなわち上からｎ番目の主走査線２１の電圧Ｍｇａｔｅ（ｎ）がＬｏｗレベルになる前に、各信号線２３の電圧Ｓｉｇ（１）、Ｓｉｇ（２）、・・・を所定の階調表示の電圧にする。これにより、画素ｐｉｘ（ｎ，１）、ｐｉｘ（ｎ，２）、・・・に所定の階調表示の電圧が印加され、画素ｐｉｘ（ｎ，１）、ｐｉｘ（ｎ，２）、・・・は所定の階調表示となる。
【０１６３】  主垂直駆動回路３１が、最も上から最も下までの主走査線２１を上述のように駆動させると共に、水平駆動回路３３が最も左から最も右までの信号線２３を上述のように駆動させることで、黒ライン２０Ｌを垂直方向に転送することができる。
【０１６４】［効果］  第４の実施形態に係る表示装置３１０では、コントローラ２１１が、黒ライン２０Ｌを垂直方向または水平方向に転送するので、第１の実施形態に係る表示装置１１０と同様の効果を得ることができる。また、液晶パネル３２０の構成を、第１の実施形態における液晶パネル２０に比べて簡略化することができる。
【０１６５】［変形例］  第４の実施形態では、表示装置３１０が、黒ライン２０Ｌを転送し動画残像・尾引きの発生を抑制する方法について説明したが、黒ライン２０Ｌの転送以外の方法により動画残像・尾引きの発生を抑制するようにしてもよい。
【０１６６】  例えば、表示装置３１０が検出部（図示せず）をさらに備え、この検出部が、図５２Ａに示すように、移動する物体３４０が存在するエリアを映像中で検出するようにしてもよい。そして、コントローラ３１１が、検出部が検出したエリア（以下「検出エリア」という。）に黒表示３４１を局所的に挿入することにより、動画残像・尾引きの発生を抑制するようにしてもよい。検出部は、例えばＩＣ（Integrated Circuit）等により構成されている。黒表示３４１は、例えば、１フィールドまたは２フィールド以上の規定期間挿入される。
【０１６７】  黒表示３４１の形状としては、例えば矩形状が挙げられるが、移動する物体３４０が隠れる形状であることが好ましく、矩形状に特に限定されるものではない。例えば、黒表示３４１の形状は、図５２Ｂに示すように、液晶パネル３２０の垂直方向に伸びる帯状であってもよいし、図５２Ｃに示すように、液晶パネル３２０の垂直方向に伸びる帯状であってもよい。また、図５２Ｄに示すように、黒色のストライプ等の規定のパターンや模様等が表示されるようにしてもよい。上述の例では、検出エリアに黒表示３４１を挿入する場合について説明したが、検出エリアに白表示または任意の中間調の表示を挿入するようにしてもよいし、検出エリアに黒表示３４１と白表示を交互に表示するようにしてもよい。 
【０１６８】＜５  第５の実施形態＞  次に、図５３を参照して、本開示の第５の実施形態に係る電子機器４１０について説明する。電子機器４１０は、例えば、板状の筐体の主面に表示面４１１を備えた携帯端末である。電子機器４１０は、例えば、表示面４１１の位置に表示装置４１２を備えている。表示装置４１２は、上述の第１〜第４の実施形態およびその変形例に係る表示装置１０、１１０、２１０、３１０のいずれかである。第５の実施形態に係る電子機器４１０では、表示装置４１２として、上述の第１〜第４の実施形態およびその変形例に係る表示装置１０、１１０、２１０、３１０のいずれかが設けられているので、上記各実施形態と同様の効果が得られる。
【０１６９】＜６  第６の実施形態＞  次に、図５４を参照して、本開示の第５の実施形態に係る電子機器５１０について説明する。電子機器５１０は、例えば、折りたたみ可能な２枚の板状の筐体のうちの一方の筐体の主面に表示面５１１を備えたノート型のパーソナルコンピュータである。電子機器５１０は、例えば、表示面５１１の位置に表示装置５１２を備えている。表示装置５１２は、上述の第１〜第４の実施形態およびその変形例に係る表示装置１０、１１０、２１０、３１０のいずれかである。第６の実施形態に係る電子機器５１０では、表示装置５１２として、上述の第１〜第４の実施形態およびその変形例に係る表示装置１０、１１０、２１０、３１０のいずれかが設けられているので、上記各実施形態と同様の効果が得られる。
【０１７０】＜７  第７の実施形態＞[プロジェクタの構成]  次に、図５５を参照して、本開示の第６の実施形態に係るプロジェクタ６００について説明する。プロジェクタ６００は、本開示の「投射型表示装置」の一具体例に対応する。プロジェクタ６００は、例えば、光源装置６０１、画像生成システム６０２および投射光学系６０３を備えている。
【０１７１】  画像生成システム６０２は、光源装置６０１から出射された光（例えば白色光）を映像信号に基づいて変調することにより複数色の画像光を生成し、生成した複数色の画像光を合成した上で、投射光学系６０３に出射するようになっている。画像生成システム６０２は、照明光学系６１０、画像生成部６２０および画像合成部６３０を有している。投射光学系６０３は、画像生成システム６０２から出射された画像光（合成された画像光）をスクリーン等に投射するようになっている。画像生成システム６０２は、本開示の「光変調部」の一具体例に対応する。投射光学系６０３は、本開示の「投射部」の一具体例に対応する。
【０１７２】  照明光学系６１０は、光源装置６０１から出射された光（例えば白色光）を複数の色光に分解するものである。照明光学系６１０は、例えば、インテグレータ素子６１１、偏光変換素子６１２、集光レンズ６１３、ダイクロイックミラー６１４、６１５およびミラー６１６〜６１８を有している。インテグレータ素子６１１は、例えば、フライアイレンズ６１１ａおよびフライアイレンズ６１１ｂを有している。フライアイレンズ６１１ａは、２次元配置された複数のマイクロレンズを有している。フライアイレンズ６１１ｂも、２次元配置された複数のマイクロレンズを有している。フライアイレンズ６１１ａは、光源装置６０１から出射された光（例えば白色光）を複数の光束に分割し、フライアイレンズ６１１ｂにおける各マイクロレンズに結像させるようになっている。フライアイレンズ６１１ｂは、二次光源として機能し、輝度の揃った複数の平行光を、偏光変換素子６１２に入射させるようになっている。ダイクロイックミラー６１４、６１５は、所定の波長域の色光を選択的に反射し、それ以外の波長域の光を透過させるようになっている。ダイクロイックミラー６１４は、例えば、赤色光を選択的に反射するようになっている。ダイクロイックミラー６１５は、例えば、緑色光を選択的に反射するようになっている。
【０１７３】  画像生成部６２０は、外部から入力された各色に対応する映像信号に基づいて、照明光学系６１０によって分解された各色光を変調し、各色の画像光を生成するものである。画像生成部６２０は、例えば、赤色光用のライトバルブ６２１、緑色光用のライトバルブ６２２、青色光用のライトバルブ６２３を有している。赤色光用のライトバルブ６２１は、外部から入力された赤色に対応する映像信号に基づいて、照明光学系６１０から入力された赤色光を変調し、赤色の画像光を生成するものである。緑色光用のライトバルブ６２２は、外部から入力された緑色に対応する映像信号に基づいて、照明光学系６１０から入力された緑色光を変調し、緑色の画像光を生成するものである。青色光用のライトバルブ６２３は、外部から入力された青色に対応する映像信号に基づいて、照明光学系６１０から入力された青色光を変調し、青色の画像光を生成するものである。赤色光用のライトバルブ６２１、緑色光用のライトバルブ６２２、および青色光用のライトバルブ６２３は、上述の第１〜第４の実施形態およびその変形例に係る表示装置１０、１１０、２１０、３１０のいずれかによって構成されている。なお、赤色光用のライトバルブ６２１、緑色光用のライトバルブ６２２、および青色光用のライトバルブ６２３の駆動が一つのコントローラ（制御回路）で制御されるようにしてもよい。
【０１７４】  画像合成部６３０は、画像生成部６２０で生成された各色の画像光を合成し、カラー画像光を生成するものである。
【０１７５】[効果]  第７の実施形態に係るプロジェクタ６００では、赤色光用のライトバルブ６２１、緑色光用のライトバルブ６２２、および青色光用のライトバルブ６２３として、上述の第１〜第４の実施形態およびその変形例に係る表示装置１０、１１０、２１０、３１０のいずれかが用いられている。これにより、上記各実施形態と同様の効果を有している。
【０１７６】  以上、本開示の第１〜第７の実施形態およびその変形例について具体的に説明したが、本開示は、上述の第１〜第７の実施形態およびその変形例に限定されるものではなく、本開示の技術的思想に基づく各種の変形が可能である。
【０１７７】  例えば、上述の第１〜第７の実施形態およびその変形例において挙げた構成、方法、工程、形状、材料および数値等はあくまでも例に過ぎず、必要に応じてこれと異なる構成、方法、工程、形状、材料および数値等を用いてもよい。
【０１７８】  また、上述の第１〜第７の実施形態およびその変形例の構成、方法、工程、形状、材料および数値等は、本開示の主旨を逸脱しない限り、互いに組み合わせることが可能である。
【０１７９】  また、上述の第１〜第７の実施形態およびその変形例で段階的に記載された数値範囲において、ある段階の数値範囲の上限値または下限値は、他の段階の数値範囲の上限値または下限値に置き換えてもよい。
【０１８０】  また、本開示は以下の構成を採用することもできる。（１）  １画素以上１０画素以下の幅を有する同一階調のラインが画面内に転送されるように、液晶パネルの駆動を制御する制御回路。（２）  前記ラインの幅が、２画素以上１０画素以下である（１）に記載の制御回路。（３）  前記ラインの１回の移動距離が、２画素以上、前記ラインの幅以下である（２）に記載の制御回路。（４）  前記ラインの移動が、１フィールドまたはｎ水平期間（但し、ｎは１以上の整数である。）毎に行われる（１）から（３）のいずれかに記載の制御回路。（５）  前記同一階調のラインが、黒色のラインである（１）から（４）のいずれかに記載の制御回路。（６）  前記ラインの転送が、周期的であり、  前記ラインの転送方向が、前記液晶パネルの垂直方向または水平方向である（１）から（５）のいずれかに記載の制御回路。（７）  前記液晶パネルに含まれる液晶分子の方位角Φを前記液晶パネルの水平方向を基準として表し、前記方位角Φが０°、１８０°の方向をそれぞれ第１の水平方向、第２の水平方向、前記方位角Φが９０°、２７０°の方向をそれぞれ第１の垂直方向、第２の垂直方向とした場合、  前記方位角Φが０°＜Φ＜９０°の範囲内である場合には、前記ラインの転送方向は前記第２の垂直方向または前記第２の水平方向であり、  前記方位角Φが９０°＜Φ＜１８０°の範囲内である場合には、前記ラインの転送方向は前記第２の垂直方向または前記第１の水平方向であり、  前記方位角Φが１８０°＜Φ＜２７０°の範囲内である場合には、前記ラインの転送方向は前記第１の垂直方向または前記第１の水平方向であり、  前記方位角Φが２７０°＜Φ＜３６０°の範囲内である場合には、前記ラインの転送方向は前記第１の垂直方向または前記第２の水平方向である（１）から（６）のいずれかに記載の制御回路。（８）  液晶パネルと、  前記液晶パネルを駆動する駆動部と、  （１）から（７）のいずれかに記載の制御回路と  を備える表示装置。（９）  前記液晶パネルは、  行方向に延在された複数の走査線と、  列方向に延在された複数の信号線と、  前記走査線と前記信号線とが互いに交差する箇所ごとに１つずつ設けられた複数の画素とを備え、  前記画素は、  液晶セルと、  前記走査線から入力される信号に基づいて前記信号線の電圧を前記液晶セルに書き込むトランジスタと  を備え、  前記制御回路は、前記同一階調のラインが転送されるように、前記駆動部を介して、複数の前記走査線および複数の前記信号線に供給する信号を制御する（８）に記載の表示装置。（１０）  前記液晶パネルは、  行方向に延在された複数の第１の走査線と、  前記行方向に延在された複数の第２の走査線と、  前記行方向に延設された保持容量線と、  列方向に延在された複数の信号線と、  前記第１の走査線と前記信号線とが互いに交差する箇所ごとに１つずつ設けられた複数の画素とを備え、  前記画素は、  液晶セルと、  前記第１の走査線から入力される信号に基づいて、前記信号線の電圧を前記液晶セルに書き込む第１のトランジスタと、  前記第２の走査線から入力される信号に基づいて、前記保持容量線の電圧を前記液晶セルに書き込む第２のトランジスタと  を備える（８）に記載の表示装置。（１１）  前記液晶パネルは、  行方向に延在された複数の第１の走査線と、  列方向に延在された複数の第１の信号線と、  前記列方向に延在された複数の第２の信号線と、  前記列方向の奇数番目に位置する前記第１の走査線と前記第１の信号線とが互いに交差する箇所ごとに１つずつ設けられた複数の第１の画素と、  前記列方向の偶数番目に位置する前記第１の走査線と前記第２の信号線とが互いに交差する箇所ごとに１つずつ設けられた複数の第２の画素と  を備え、  前記第１の画素は、  第１の液晶セルと、  前記第１の走査線から入力される信号に基づいて、前記第１の信号線の電圧を前記１の液晶セルに書き込む第１のトランジスタと  を備え、  前記第２の画素は、  第２の液晶セルと、  前記第１の走査線から入力される信号に基づいて、前記第２の信号線の電圧を前記第２の液晶セルに書き込む第３のトランジスタと  を備える（８）に記載の表示装置。（１２）  前記液晶パネルは、  前記行方向に延在された複数の第２の走査線と、  前記行方向に延設された複数の保持容量線と  をさらに備え、  前記第１の画素は、前記第２の走査線から入力される信号に基づいて、前記保持容量線の電圧を前記第１の液晶セルに書き込む第２のトランジスタをさらに備え、  前記第２の画素は、前記第２の走査線から入力される信号に基づいて、前記保持容量線の電圧を前記第２の液晶セルに書き込む第４のトランジスタをさらに備える（１１）に記載の表示装置。（１３）  前記液晶パネルの垂直方向に隣り合う前記第１の画素と前記第２の画素はペアを構成し、  前記ペアを構成する前記第１の画素と前記第２の画素は、前記液晶パネルの水平方向に伸びる直線に対して線対称の構造を有している（１２）に記載の表示装置。（１４）  前記ペアを構成する前記第１の画素と前記第２の画素は、前記第１の走査線を共用していると共に、前記第２の走査線を共用している（１３）に記載の表示装置。（１５）  前記液晶パネルの水平方向に隣り合う前記第１の画素はペアを構成し、  前記液晶パネルの水平方向に隣り合う前記第２の画素はペアを構成し、  前記ペアを構成する前記第１の画素は、前記液晶パネルの垂直方向に伸びる直線に対して線対称の構造を有し、  前記ペアを構成する前記第２の画素は、前記液晶パネルの垂直方向に伸びる直線に対して線対称の構造を有している（１１）から（１４）のいずれかに記載の表示装置。（１６）  表示装置を備え、  前記表示装置は、  液晶パネルと、  前記液晶パネルを駆動する駆動部と、  （１）から（７）のいずれかに記載の制御回路と  を備え、  前記制御回路は、１画素以上１０画素以下の幅を有する同一階調のラインが転送されるように、前記液晶パネルの駆動を制御する電子機器。（１７）  照明光学系と、  前記照明光学系からの光を変調することで画像光を生成する複数の液晶パネルと、  （１）から（７）のいずれかに記載の制御回路と、  複数の前記液晶パネルで生成された前記画像光を投射する投影光学系と  を備える投射型表示装置。（１８）  １画素以上１０画素以下の幅を有する同一階調のラインが転送されるように、液晶パネルの駆動を制御する制御方法。
【符号の説明】
【０１８１】  １０、１１０、２１０、３１０、４１２    液晶表示装置  １１、１１１、２１１、３１１    コントローラ（制御回路）  ２０、１２０、２２０、３２０    液晶パネル  ３０、１３０、２３０、３３０    駆動部  ３１、１３１、    主垂直駆動回路（第１の垂直駆動回路）  ３２、１３１    副垂直駆動回路（第２の垂直駆動回路）  ３３    水平駆動回路  １３３    水平駆動回路（第１の水平駆動回路）  １３４    水平駆動回路（第２の水平駆動回路）  ２１、１２１    主走査線  ２２、１２２    副走査線  ２３、１２３、１２４    信号線  ２４    保持容量線  ２５、２２５、３２５    画素  ２６    液晶セル  ２７    主トランジスタ  ２８    副トランジスタ  ２９    容量素子  ４１０、５１０    電子機器  ４１１、５１１    表示面  ６００    プロジェクタ（投射型表示装置）
【図１】
2020171130.tif 000003
【図２】
2020171130.tif 000004
【図３】
2020171130.tif 000005
【図４】
2020171130.tif 000006
【図５】
2020171130.tif 000007
【図６】
2020171130.tif 000008
【図７】
2020171130.tif 000009
【図８】
2020171130.tif 000010
【図９】
2020171130.tif 000011
【図１０】
2020171130.tif 000012
【図１１】
2020171130.tif 000013
【図１２】
2020171130.tif 000014
【図１３】
2020171130.tif 000015
【図１４】
2020171130.tif 000016
【図１５】
2020171130.tif 000017
【図１６】
2020171130.tif 000018
【図１７】
2020171130.tif 000019
【図１８】
2020171130.tif 000020
【図１９】
2020171130.tif 000021
【図２０】
2020171130.tif 000022
【図２１】
2020171130.tif 000023
【図２２】
2020171130.tif 000024
【図２３】
2020171130.tif 000025
【図２４】
2020171130.tif 000026
【図２５】
2020171130.tif 000027
【図２６】
2020171130.tif 000028
【図２７】
2020171130.tif 000029
【図２８】
2020171130.tif 000030
【図２９】
2020171130.tif 000031
【図３０】
2020171130.tif 000032
【図３１】
2020171130.tif 000033
【図３２】
2020171130.tif 000034
【図３３】
2020171130.tif 000035
【図３４】
2020171130.tif 000036
【図３５】
2020171130.tif 000037
【図３６】
2020171130.tif 000038
【図３７】
2020171130.tif 000039
【図３８】
2020171130.tif 000040
【図３９】
2020171130.tif 000041
【図４０】
2020171130.tif 000042
【図４１】
2020171130.tif 000043
【図４２】
2020171130.tif 000044
【図４３】
2020171130.tif 000045
【図４４】
2020171130.tif 000046
【図４５】
2020171130.tif 000047
【図４６】
2020171130.tif 000048
【図４７】
2020171130.tif 000049
【図４８】
2020171130.tif 000050
【図４９】
2020171130.tif 000051
【図５０】
2020171130.tif 000052
【図５１】
2020171130.tif 000053
【図５２】
2020171130.tif 000054
【図５３】
2020171130.tif 000055
【図５４】
2020171130.tif 000056
【図５５】
2020171130.tif 000057
【国際調査報告】
2020171130.tif 000058
2020171130.tif 000059
2020171130.tif 000060
2020171130.tif 000061
2020171130.tif 000062
2020171130.tif 000063